(57)【特許請求の範囲】
【請求項１】
開口部が形成された接続端部をそれぞれに有し、共通の基準軸上に並んだ複数の電気機器のうち、隣り合う一対の前記電気機器における前記接続端部同士を、連結部材およびシール部材を介して連結するための連結構造であって、
前記連結部材は、
連結される一対の前記電気機器のうち前記連結部材に対して一方側にある一方側電気機器の前記接続端部に対して、前記基準軸まわりに相対回転不能となるように固定される一方側接続部と、
連結される一対の前記電気機器のうち前記連結部材に対して他方側にある他方側電気機器の前記接続端部に対して、前記基準軸まわりに相対回転することで着脱可能となるように接続される他方側接続部と、
前記一方側電気機器および他方側電気機器のそれぞれの前記開口部を塞ぐ閉塞部であって、前記一方側電気機器において前記他方側電気機器に電気的に接続される接続端子を前記他方側電気機器側に露出させる露出穴が形成された閉塞部と、
を含み、
前記シール部材は、前記一方側電気機器の開口部の周縁に沿って前記一方側電気機器と前記一方側接続部との間に介在されて、前記一方側電気機器と前記一方側接続部との間を密封することを特徴とする、隣り合う電気機器を連結するための連結構造。
【請求項２】
前記一方側接続部には、前記一方側電気機器の前記接続端部に係合して、前記一方側電気機器の前記接続端部に対する前記一方側接続部の相対回転を規制する係合部が設けられていることを特徴とする、請求項１記載の連結構造。
【請求項３】
前記複数の電気機器のうち少なくとも１つが信号表示灯であることを特徴とする、請求項１または２記載の連結構造。
【請求項４】
請求項１〜３のいずれかに記載の連結構造によって他の電気機器と連結されたことを特徴とする、信号表示灯。
【発明の詳細な説明】
【技術分野】
【０００１】
この発明は、隣り合う電気機器を連結するための連結構造、および、当該連結構造が適用された信号表示灯に関する。
【背景技術】
【０００２】
電気機器および信号表示灯の一例として下記特許文献１で提案された光表示装置では、発光ダイオード基板と、この基板を納めるケースとを含んでいる。基板には、ＬＥＤからなる複数の光源部が配設されている。ケースは、有底円筒形状の基体部と、透光性を有する円筒状をなす３つのカバーとを含んでいる。これらのカバーは、基体部に対して３段で積み重ねて接続される。各カバーは、内周側にリング状の頂壁を有していて、頂壁は、互いに向かい合う一対の張り出し部を有している。一対の張り出し部において互いに対向する先端部分には、スリットが形成されている。ケースに納められた基板は、各カバーの内側において、一対の張り出し部のそれぞれのスリットに嵌まっている。基板の各光源部から発せられる光は、光源部の周囲のカバーを通って外部へ放たれる。
【先行技術文献】
【特許文献】
【０００３】
【特許文献１】実用新案登録第３１６９４４５号公報
【発明の概要】
【発明が解決しようとする課題】
【０００４】
複数の電気機器を連結構造で連結して様々な環境下で使用することを想定すると、浸水による電気機器の故障を防止するために、連結構造における防水性の向上が望まれる。また、連結構造を介した電気機器同士の連結や分離の容易性の向上も望まれる。【０００５】
そこで、この発明は、隣り合う電気機器を連結するための連結構造において、防水性の向上を図れる連結構造を提供することを主たる目的とする。【０００６】
また、この発明は、電気機器同士の連結や分離の容易性の向上を図れる連結構造を提供することを別の目的とする。【０００７】
また、この発明は、このような連結構造が適用された信号表示灯を提供することをさらに別の目的とする。
【課題を解決するための手段】
【０００８】
上記の目的を達成するための請求項１記載の発明は、開口部（７２）が形成された接続端部（７３）をそれぞれに有し、共通の基準軸（７１）上に並んだ複数の電気機器（１）のうち、隣り合う一対の前記電気機器における前記接続端部同士を、連結部材（１１）およびシール部材（１２）を介して連結するための連結構造（７０）であって、前記連結部材は、連結される一対の前記電気機器のうち前記連結部材に対して一方側にある一方側電気機器（１Ｘ）の前記接続端部に対して、前記基準軸まわりに相対回転不能となるように固定される一方側接続部（７５）と、連結される一対の前記電気機器のうち前記連結部材に対して他方側にある他方側電気機器（１Ｙ）の前記接続端部に対して、前記基準軸まわりに相対回転することで着脱可能となるように接続される他方側接続部（７６）と、前記一方側電気機器および他方側電気機器のそれぞれの前記開口部を塞ぐ閉塞部（１１Ａ）であって、前記一方側電気機器において前記他方側電気機器に電気的に接続される接続端子（７７）を前記他方側電気機器側に露出させる露出穴（１１Ｄ）が形成された閉塞部と、を含み、前記シール部材は、前記一方側電気機器の開口部の周縁に沿って前記一方側電気機器と前記一方側接続部との間に介在されて、前記一方側電気機器と前記一方側接続部との間を密封することを特徴とする、隣り合う電気機器を連結するための連結構造である。【０００９】
なお、この項において、括弧内の英数字は、後述の実施形態における対応構成要素の参照符号を示すが、これらの参考符号により発明を限定する趣旨ではない。【００１０】
この構成によれば、一対の電気機器において開口部が形成された接続端部同士を連結するための連結構造において、連結部材では、一方側接続部が、一方側電気機器の接続端部に対して相対回転不能となるように固定される。ここでの「相対回転不能となるように固定」とは、一定未満の力では一方側接続部を接続端部に対して相対回転させることができず、一定以上の力で一方側接続部を接続端部に対して相対回転させようとすると、一方側接続部および接続端部の少なくともどちらかが破壊されるように、一方側接続部と接続端部とが結合されていることを意味している。一方側接続部が相対回転不能に接続端部に固定されていることから、連結部材は、一方側電気機器に一体化されている。【００１１】
また、連結部材では、他方側接続部が、他方側電気機器の接続端部に対して、相対回転することで着脱可能となるように接続される。【００１２】
以上より、一方側電気機器と他方側電気機器とを相対回転させると、連結部材が一方側電気機器に一体化された状態で、連結部材に対して他方側電気機器を容易に着脱すること（一方側電気機器に他方側電気機器を増設したり、増設を解消したりすること）が可能になる。つまり、電気機器同士の連結や分離の容易性の向上を図れる。【００１３】
また、連結部材では、閉塞部が、一方側電気機器および他方側電気機器のそれぞれの開口部を塞いでいる。そのため、連結構造では、一方側電気機器と他方側電気機器とが連結された状態における防水性の向上を図れる。【００１４】
さらに、連結構造では、シール部材が一方側電気機器と連結部材の一方側接続部との間を密封していて、閉塞部では、一方側電気機器の接続端子を露出させる露出穴が必要最小限で形成されているので、他方側電気機器が分離された状態の一方側電気機器における接続端部まわりでの防水性の向上を図れる。【００１５】
請求項２記載の発明は、前記一方側接続部には、前記一方側電気機器の前記接続端部に係合して、前記一方側電気機器の前記接続端部に対する前記一方側接続部の相対回転を規制する係合部（５５）が設けられていることを特徴とする、請求項１記載の連結構造である。【００１６】
この構成によれば、係合部によって、連結部材の一方側接続部を一方側電気機器の接続端部に対して、確実に相対回転不能となるように固定することができる。【００１７】
請求項３記載の発明は、前記複数の電気機器のうち少なくとも１つが信号表示灯であることを特徴とする、請求項１または２記載の連結構造である。【００１８】
請求項４記載の発明は、請求項１〜３のいずれかに記載の連結構造によって他の電気機器と連結されたことを特徴とする、信号表示灯である。【００１９】
つまり、請求項３および４のように、連結構造によって連結される複数の電気機器のうち、いずれかの電気機器が信号表示灯であってもよい。
【図面の簡単な説明】
【００２０】
【図１】図１は、この発明の実施形態に係る電気機器１の正面図である。
【図２】図２は、図１の姿勢における電気機器１の側面中央縦断面図である。
【図３Ａ】図３Ａは、電気機器１を構成する個々の部品の正面図である。
【図３Ｂ】図３Ｂは、電気機器１を構成する個々の部品（図３Ａに示されなかった部品）の正面図である。
【図４Ａ】図４Ａは、電気機器１の分解斜視図である。
【図４Ｂ】図４Ｂは、電気機器１の分解斜視図であって、図４Ａに示されなかった部品を示している。
【図５Ａ】図５Ａは、図４Ａとは異なる方向から見た場合における電気機器１の分解斜視図である。
【図５Ｂ】図５Ｂは、電気機器１の分解斜視図であって、図５Ａに示されなかった部品を示している。
【図６】図６は、電気機器１を構成するレンズ３の斜視図である。
【図７】図７は、レンズ３の平面図である。
【図８】図８は、レンズ３の底面図である。
【図９】図９は、レンズ３の左側面図である。
【図１０】図１０は、レンズ３の背面図である。
【図１１】図１１は、図７のＡ−Ａ矢視図である。
【図１２】図１２は、一部を断面で示したレンズ３の要部の斜視図である。
【図１３】図１３は、一部を断面で示したレンズ３の要部の斜視図である。
【図１４Ａ】図１４Ａは、連結しようとする２つのレンズ３の断面図である。
【図１４Ｂ】図１４Ｂは、連結された３つのレンズ３の断面図である。
【図１５】図１５は、連結しようとする複数の電気機器１の斜視図である。
【図１６】図１６は、連結された複数の電気機器１の模式的な縦断面図である。
【図１７】図１７は、変形例におけるレンズ３の斜視図である。
【図１８】図１８は、変形例におけるレンズ３の平面図である。
【発明を実施するための形態】
【００２１】
以下には、図面を参照して、この発明の実施形態について具体的に説明する。
【００２２】
図１は、この発明の実施形態に係る電気機器１の正面図である。図２は、図１の姿勢における電気機器１の側面中央縦断面図である。図３Ａおよび図３Ｂは、電気機器１を構成する個々の部品の正面図である。図４Ａおよび図４Ｂは、電気機器１の分解斜視図である。図５Ａおよび図５Ｂは、図４Ａおよび図４Ｂとは異なる方向から見た場合における電気機器１の分解斜視図である。
【００２３】
図１および図２を参照して、この発明の一実施形態に係る電気機器１は、たとえば、工場の製造現場等で使用される信号表示灯であり、細長い円筒状をなしている。使用時における電気機器１の姿勢は、使用条件に応じて任意に設定できる。しかし、以下では、便宜上、図１〜図５Ｂの各図における紙面の上下方向が電気機器１の長手方向と一致するように、縦長に配置されたときの電気機器１を基準として説明する。具体的は、図１〜図５Ｂの各図において、紙面の上側を電気機器１の上側とし、紙面の下側を電気機器１の下側として説明する。
【００２４】
図３Ａ〜図５Ｂを参照して、電気機器１は、ＬＥＤ実装基板２と、レンズ３と、ボディ４（下側閉塞部材）と、プレート５と、ブラケット６と、防水リング７と、防水シート８と、防水リング９（下側弾性部材）と、アウターレンズ１０（中空部材）と、アウタートップ１１（上側閉塞部材、連結部材）と、防水キャップ１２（上側弾性部材、シール部材）と、ヘッドカバー１３と、防水リング１８とを含んでいる。以下では、各部品について個別に説明する。
【００２５】
ＬＥＤ実装基板２は、図４Ｂおよび図５Ｂに示すように、上下方向に長手をなす略長方形の薄板状である。ＬＥＤ実装基板２の長手方向（上下方向）に符号Ｌを付し、ＬＥＤ実装基板２の短手方向に符号Ｓを付し、ＬＥＤ実装基板２の厚さ方向に符号Ｔを付すことにする。長手方向ＬにおけるＬＥＤ実装基板２の寸法は、電気機器１の長手方向寸法より少し小さい（図２参照）。ＬＥＤ実装基板２は、厚さ方向Ｔにおける両側面をなす表面２Ａおよび裏面２Ｂを有している。便宜上、図４Ｂにおいて最も大きく見えている面を表面２Ａとし、図５Ｂにおいて最も大きく見えている面を裏面２Ｂとする。長手方向Ｌと短手方向Ｓとは、表面２Ａおよび裏面２Ｂに平行な同一平面上で直交している。厚さ方向Ｔは、長手方向Ｌおよび短手方向Ｓの両方に対して直交している。なお、厚さ方向Ｔは、電気機器１の奥行き方向Ｆでもあり（図２参照）、短手方向Ｓは、電気機器１の左右方向Ｇでもある（図１参照）。
【００２６】
表面２Ａおよび裏面２Ｂのそれぞれにおいて、短手方向Ｓにおける中央位置２Ｃから一方の端部２Ｄ側へ偏った位置に、発光素子であるＬＥＤ（発光ダイオード）１４が実装されている。表面２Ａに実装されたＬＥＤ１４と、裏面２Ｂに実装されたＬＥＤ１４とは、短手方向Ｓにおいて同じ位置（端部２Ｄにおける縁２Ｅから僅かに中央位置２Ｃ側の位置）にある（図４Ｂおよび図５Ｂ参照）。
【００２７】
表面２Ａおよび裏面２Ｂのそれぞれにおいて、複数のＬＥＤ１４が、長手方向Ｌに沿って一列で並んで実装されている。具体的には、長手方向Ｌに沿って等間隔で並んだ４つのＬＥＤ１４が、１つの組１５をなし、５つの組１５が、長手方向Ｌに沿って等間隔で並んでいる。つまり、ＬＥＤ実装基板２では、複数組のＬＥＤ１４を長手方向Ｌに所定間隔で実装している。なお、各組１５内で隣り合うＬＥＤ１４同士の間隔Ｋ１は、隣り合う組１５同士の間隔Ｋ２よりも狭い（図４Ｂ参照）。また、個々のＬＥＤ１４は、小片状をなしている。そして、各組１５において、表面２ＡのＬＥＤ１４と裏面２ＢのＬＥＤ１４とは、長手方向Ｌで同じ位置に１つずつ配置されている。
【００２８】
当該５つの組１５は、表面２Ａおよび裏面２Ｂのそれぞれにおいて、長手方向Ｌにおける一方側（上側）の略４分の３の領域に配置されている。表面２Ａおよび裏面２Ｂのそれぞれにおいて、５つの組１５を、上から順に、第１組１５Ａ、第２組１５Ｂ、第３組１５Ｃ、第４組１５Ｄ、第５組１５Ｅというように区別すると、第１組１５Ａは、表面２Ａおよび裏面２Ｂの上端部に配置されている。
【００２９】
表面２Ａおよび裏面２Ｂにおいて、長手方向Ｌにおける他方側（下側）の略４分の１の領域には、ＬＥＤ１４は配置されておらず、表面２Ａの当該領域には、端子１６が実装されている。端子１６には、制御信号や電力の供給を行うケーブル１７が接続される。端子１６と各ＬＥＤ１４とは、電気的に接続されている。各ＬＥＤ１４は、端子１６を介してケーブル１７から制御信号や電力が供給されることによって、発光する。
【００３０】
次に、レンズ３について説明する。レンズ３の説明に際し、図１〜図５のそれぞれにおいて電気機器１に組み付けられるときのレンズ３の姿勢を基準とする。
【００３１】
図２を参照して、レンズ３は、前述したＬＥＤ１４の組１５と同数（つまり５つ）設けられていて、それぞれのレンズ３の形態（形状および大きさ）は同じである。これら５つのレンズ３は、上下方向（ＬＥＤ実装基板２の長手方向Ｌ）に連結して使用される。つまり、個々のレンズ３は、自己と同じ形態の他のレンズ３を長手方向Ｌに連結して使用されるのであり、電気機器１では、複数個（５個）のレンズ３が連設されている。５個のレンズ３を、上から順に、第１レンズ３Ａ、第２レンズ３Ｂ、第３レンズ３Ｃ、第４レンズ３Ｄ、第５レンズ３Ｅというように区別することがある。各レンズ３は、形態は同じであるが、異なる色で着色されていてもよい。たとえば、第１レンズ３Ａを赤色とし、第２レンズ３Ｂを橙色とし、第３レンズ３Ｃを緑色とし、第４レンズ３Ｄを青色とし、第５レンズ３Ｅを白色としてもよい。または、各レンズ３を同色とする一方で、各レンズ３に向けて発光するＬＥＤ１４の発光色をレンズ３毎に異ならせてもよい。
【００３２】
図６は、レンズ３の斜視図である。図７は、レンズ３の平面図である。図８は、レンズ３の底面図である。図９は、レンズ３の左側面図である。図１０は、レンズ３の背面図である。図１１は、図７のＡ−Ａ矢視図である。図１２および図１３は、一部を断面で示したレンズ３の要部の斜視図である。
【００３３】
以下には、図６〜図１３を参照して、個々のレンズ３について説明する。なお、図６〜図１３のうち、図７以外の図面では、便宜上、ＬＥＤ実装基板２を図示していない。
【００３４】
レンズ３は、略円筒状である。レンズ３の円中心を通る中心軸（図示せず）延びる方向を、レンズ３の軸方向Ｘということにする。レンズ３は、軸方向Ｘに所定長さを有している。図７に示すように、軸方向Ｘから見たときのレンズ３の外側輪郭３Ｒは、略円形になっている。以下では、レンズ３の周方向Ｐおよび径方向Ｒを用いて説明することがある。
【００３５】
レンズ３全体は、透明（半透明や有色透明も含む、以下同じ）の樹脂を材料としていて、射出成形等により、金型用いて成形されている。レンズ３における各部分（これから述べる）は、一体化されている。ここでの樹脂として、アクリル樹脂が挙げられる。
【００３６】
レンズ３は、導光放射部２０と、補助レンズ部２１と、支持部２２とを主に含んでいる（図７においてドットで塗りつぶした部分を参照）。
【００３７】
導光放射部２０は、レンズ３の外側輪郭３Ｒのほとんどをなす筒状（詳しくは略円筒状）である。そのため、導光放射部２０の周方向は、前述した周方向Ｐと同じであり、導光放射部２０の径方向は、前述した径方向Ｒと同じである。導光放射部２０の周上１箇所には、スリット部２３が形成されている。スリット部２３は、導光放射部２０を軸方向Ｘに切り欠いており、導光放射部２０の周上１箇所を軸方向Ｘに沿って切断している。そのため、軸方向Ｘと直交する切断面で切断したときの導光放射部２０の断面は、厳密には、スリット部２３において途切れた略Ｃ字状をなしている。導光放射部２０には、スリット部２３を区画する一対の対向端面が形成されており、これらの対向端面を入射面２４と呼ぶことにする。一対の入射面２４のうち、一方（図７において右側）を入射面２４Ａといい、他方（図７において左側）を入射面２４Ｂということにする。これらの入射面２４は、スリット部２３を挟んで対向配置されている。これらの入射面２４は、平行に延びる平坦面であってもよいし、図７に示すように、互いに接近する方向へ略円弧状に膨出していてもよい。
【００３８】
導光放射部２０において各入射面２４Ａ側の部分（入射部２８ということにする）は、レンズ３の外側輪郭３Ｒより内側（レンズ３の円中心側）に位置しており、外側輪郭３Ｒを構成していない。導光放射部２０の外周面２０Ａにおいて、各入射部２８以外の領域が、外側輪郭３Ｒのほとんどの部分を構成している。
【００３９】
導光放射部２０の内周面２０Ｂには、複数の凸部２５が一体的に設けられている。これらの凸部２５は、レンズ３の円中心側（径方向Ｒの内側）へ突出しつつ、軸方向Ｘに沿って直線状に延びる筋状である。軸方向Ｘと直交する切断面で切断したときの各凸部２５の断面形状は、内周面２０Ｂにおける周方向Ｐの位置によって異なっている。詳しくは、導光放射部２０において、周方向Ｐでスリット部２３から１８０度ずれた位置を反対位置２０Ｃと呼び、各入射面２４から反対位置２０Ｃまでの領域を、入射面２４に近い順から、第１領域２０Ｄ、第２領域２０Ｅ、第３領域２０Ｆとに３分割する。第１領域２０Ｄにおける凸部２５の断面形状は、略三角形状である。第３領域２０Ｆにおける凸部２５の断面形状は、略半円形状である。第２領域２０Ｅにおける凸部２５の断面形状は、第１領域２０Ｄにおける凸部２５と第３領域２０Ｆにおける凸部２５とのどちらにも似た形状である。
【００４０】
補助レンズ部２１は、スリット部２３を径方向Ｒにおける外方から覆うように設けられている。補助レンズ部２１は、径方向Ｒにおいて扁平であって、軸方向Ｘへ帯状に延びている（図１０参照）。軸方向Ｘにおける補助レンズ部２１の寸法は、軸方向Ｘにおける導光放射部２０の寸法より少し小さい（図９および図１０参照）。補助レンズ部２１において、径方向Ｒにおける外側面２１Ａと、径方向Ｒにおける内側面２１Ｂとは、互いに離れる方向へ円弧状に膨出している。そのため、軸方向Ｘと直交する切断面で切断したときの補助レンズ部２１の断面は、径方向Ｒにおける厚さが、周方向Ｐにおける両外側へ向かうに従って徐々に小さくなっている。補助レンズ部２１において周方向Ｐにおける両側の端面２１Ｃは、外側面２１Ａおよび内側面２１Ｂのそれぞれに交差しつつ、軸方向Ｘに沿って延びる平坦面である。外側面２１Ａは、レンズ３の外側輪郭３Ｒの一部を構成している。
【００４１】
内側面２１Ｂにおいて、周方向Ｐにおける中央には、軸方向Ｘに沿って平行に延びる一対のレール部２６が一体的に設けられている。軸方向Ｘにおける各レール部２６の寸法は、軸方向Ｘにおける内側面２１Ｂの寸法より小さい（図１１参照）。一対のレール部２６の間隔は、ＬＥＤ実装基板２の厚さ（厚さ方向Ｔにおける寸法）とほぼ同じである。一対のレール部２６の間には、移動抑止部２７が設けられている。移動抑止部２７は、補助レンズ部２１の内側面２１Ｂにおいて径方向Ｒの内側に開放された溝状であって、軸方向Ｘに延びている。
【００４２】
レンズ３は、導光放射部２０と補助レンズ部２１とを連結する連結部２９を備えている。連結部２９は、軸方向Ｘにおいて薄い板状である（図９参照）。連結部２９は、軸方向Ｘにおける導光放射部２０の中央（レンズ３全体の中央でもある）から上側へ少し偏った位置に配置されている（図９および図１０参照）。レンズ３において、軸方向Ｘにおける連結部２９の位置は、レンズ３を２つの金型（図示）内で成形するときにおける当該２つの金型の合わせ位置（境界）Ｙになっている（図１０参照）。合わせ位置Ｙがレンズ３の中央から外れているので、レンズ３の成形後に当該２つの金型を分離させると、レンズ３は、どちらか決まった方の金型に必ず位置するので、成形後のレンズ３の取り扱いの点で便利である。
【００４３】
連結部２９は、軸方向Ｘから見て、周方向Ｐにおけるスリット部２３および移動抑止部２７の両外側において、導光放射部２０の外周面２０Ａと、補助レンズ部２１の内側面２１Ｂおよび端面２１Ｃのそれぞれとの間に架設されている。径方向Ｒにおける連結部２９の外周面２９Ａは、レンズ３の外側輪郭３Ｒの一部を構成していて、導光放射部２０の外周面２０Ａと、補助レンズ部２１の外側面２１Ａとを滑らかにつないでいる。
【００４４】
支持部２２は、導光放射部２０の内側に収容されている。支持部２２は、筒状である。厳密には、支持部２２は、導光放射部２０よりも小径の略円筒状であり、その中心軸は、軸方向Ｘに沿って延びている。また、支持部２２の中心軸（円中心）は、導光放射部２０（厳密には、レンズ３の外側輪郭３Ｒ）の中心軸とは一致しておらず、導光放射部２０の中心軸から反対位置２０Ｃ側に少しずれている。軸方向Ｘにおける支持部２２の寸法は、軸方向Ｘにおける導光放射部２０の寸法よりも大きい。そのため、軸方向Ｘにおける支持部２２の一端部（上端部）２２Ｃは、導光放射部２０よりも外側（上側）にはみ出しており、軸方向Ｘにおける支持部２２の他端部（下端部）２２Ｄは、導光放射部２０よりも外側（下側）にはみ出している（図９および図１０参照）。支持部２２の上端面を、レンズ３において軸方向Ｘの一端側に設けられた一端側当接端面２２Ｅといい、支持部２２の下端面を、レンズ３において軸方向Ｘの他端側に設けられた他端側当接端面２２Ｆということにする（図９および図１０参照）。一端側当接端面２２Ｅおよび他端側当接端面２２Ｆの両方は、軸方向Ｘと直交する方向に沿って平坦である。
【００４５】
支持部２２の周上１箇所には、スリット部３０が形成されている。スリット部３０は、支持部２２を軸方向Ｘに切り欠いており、支持部２２の周上１箇所を軸方向Ｘに沿って切断している。そのため、軸方向Ｘと直交する切断面で切断したときの支持部２２の断面は、厳密には、スリット部３０において途切れた略Ｃ字状をなしている。周方向Ｐにおいて、スリット部３０と、導光放射部２０のスリット部２３とは同じ位置にある。そのため、スリット部３０とスリット部２３とは、径方向Ｒに延びる同一直線（詳しくは、後述する平坦面Ｍに沿う直線）上に位置している。
【００４６】
支持部２２は、外周面２２Ａと、内周面２２Ｂとを有している。
【００４７】
外周面２２Ａには、全周に亘って遮光処理が施されている。具体的には、外周面２２Ａには、軸方向Ｘに沿って延びる筋状の凸部３１が設けられており、多数の凸部３１が、外周面２２Ａの周方向に並ぶように、外周面２２Ａの周方向全域に亘って配置されている。軸方向Ｘと直交する切断面で切断したときの各凸部３１の断面は、外側へ向けて尖る略三角形状をなしている。なお、外周面２２Ａにおける遮光処理の別の例として、外周面２２Ａにシボ加工等を施してもよい。
【００４８】
内周面２２Ｂには、複数（ここでは４つ）の位置決めリブ３２が設けられている。４つの位置決めリブ３２は、内周面２２Ｂの周方向において等間隔で配置されている。スリット部３０に対して最寄の位置決めリブ３２は、スリット部３０から内周面２２Ｂの周方向において約４５度離れた位置にある。各位置決めリブ３２は、軸方向Ｘに細長く延びる四角柱であり、その先端部３２Ａは、軸方向Ｘにおけるレンズ３の一端側（前述した一端側当接端面２２Ｅ）に設けられていて、厳密には、一端側当接端面２２Ｅよりも外側（上側）にはみ出ている（図６参照）。
【００４９】
なお、前述した遮光処理は、外周面２２Ａでなく、内周面２２Ｂに施されていてもよいし、外周面２２Ａおよび内周面２２Ｂの両方に施されていてもよい。
【００５０】
レンズ３は、導光放射部２０と支持部２２とを連結する連結部３３を備えている。連結部３３は、前述した連結部２９と同じ厚さの薄板状であり、軸方向Ｘにおいて連結部２９と同じ位置にある。連結部３３は、軸方向Ｘから見て、導光放射部２０のスリット部２３側に開放された略Ｕ字状をなしている。このような連結部３３は、導光放射部２０の内周面２０Ｂ（厳密には、前述した第２領域２０Ｅおよび第３領域２０Ｆにおける内周面２０Ｂ）と、支持部２２の外周面２２Ａとの間を塞ぐように、内周面２０Ｂと外周面２２Ａとの間に架設されている。連結部３３は、第１領域２０Ｄにおける内周面２０Ｂには接続されていないので、軸方向Ｘから見て、連結部３３と第１領域２０Ｄにおける内周面２０Ｂとの間には、隙間３４が区画されている。隙間３４は、軸方向Ｘにおけるレンズ３の両側から外部に露出されている（図７および図８参照）。
【００５１】
また、支持部２２の内周面２２Ｂには、軸方向Ｘから見たときの支持部２２の中空部分におけるほとんどの領域を塞ぐ略円形状の閉塞部３５が設けられている。閉塞部３５は、連結部２９および連結部３３のそれぞれと同じ厚さの薄板状であり、軸方向Ｘにおいて連結部２９および連結部３３のそれぞれと同じ位置にある。閉塞部３５の上面に、各位置決めリブ３２の根元部分（先端部３２Ａとは反対側の下端部）が接続されている（図１２および図１３参照）。
【００５２】
閉塞部３５には、支持部２２のスリット部３０から連続して、支持部２２の径方向に沿って直線状に延びる切り欠き溝３６が形成されている。切り欠き溝３６は、閉塞部３５を厚さ方向に貫通しつつ、閉塞部３５の円中心よりもスリット部３０から離れた位置（閉塞部３５の円中心に対してスリット部３０よりも反対側の位置）まで延びている。閉塞部３５において切り欠き溝３６を区画する部分のうち、スリット部２３から最も離れた部分（切り欠き溝３６の溝底）を、底面３６Ａということにする。軸方向Ｘから見て、切り欠き溝３６がスリット部３０から底面３６Ａへ向かって延びる方向を、深さ方向Ｄといい、深さ方向Ｄと直交する方向を、幅方向Ｗということにする。底面３６Ａは、幅方向Ｗに沿って平坦である。底面３６Ａは、深さ方向Ｄにおいて補助レンズ部２１とは反対側（導光放射部２０の反対位置２０Ｃ側）に設けられている。スリット部２３とスリット部３０と切り欠き溝３６とは、前述した同一直線（平坦面Ｍに沿う直線）上に位置している。
【００５３】
図１２および図１３に示すように、レンズ３は、閉塞部３５において、一対の挿入空間形成部材４０を含んでいる。なお、図１２および図１３では、便宜上、断面や端面（断面ではない）に相当する部分をドットで塗り潰している。
【００５４】
一対の挿入空間形成部材４０は、軸方向Ｘに沿って延びるレバー状であって、それぞれの軸方向Ｘにおける略中央部分が、閉塞部３５に連結されている。
【００５５】
図７を参照して、一対の挿入空間形成部材４０は、軸方向Ｘから見て、切り欠き溝３６の底面３６Ａ側の部分（厳密には閉塞部３５の円中心）を幅方向Ｗから挟むように、幅方向Ｗにおいて対向配置されている。一対の挿入空間形成部材４０は、非接触状態で対向配置されている。閉塞部３５および連結部３３（支持部２２において閉塞部３５および連結部３３に接続された部分も含む）は、一対の挿入空間形成部材４０と導光放射部２０とを連結している（図１１参照）。軸方向Ｘから見たときの各挿入空間形成部材４０は、深さ方向Ｄに長手（幅方向Ｗに扁平）の長方形状をなしている。
【００５６】
一対の挿入空間形成部材４０は、互いの対向面４０Ａの間で、挿入空間４１という隙間を区画している。挿入空間４１は、軸方向Ｘにおけるレンズ３の両側から外部に露出されている（図７および図８参照）。軸方向Ｘから見ると、挿入空間４１は、支持部２２の内側に形成されている。軸方向Ｘと直交する切断面で切断したときの挿入空間４１の断面は、幅方向Ｗにおいて扁平になっている。
【００５７】
図９〜図１１を参照して、一対の挿入空間形成部材４０における軸方向Ｘの一端部４０Ｂ（上端部）は、支持部２２の上面である一端側当接端面２２Ｅよりも軸方向Ｘにおける外側（上側）へ突出している。一対の挿入空間形成部材４０における軸方向Ｘの他端部４０Ｃ（下端部）は、支持部２２の下面である他端側当接端面２２Ｆよりも軸方向Ｘにおける外側（下側）へ僅かに突出している。つまり、一端部４０Ｂは、他端部４０Ｃよりも支持部２２の外側へ突出している。
【００５８】
図１１を参照して、各挿入空間形成部材４０の対向面４０Ａにおいて他端部４０Ｃ側の端部には、軸方向Ｘに傾斜するように延びて当該端部を面取りする傾斜面４０Ｄが形成されている。各挿入空間形成部材４０の対向面４０Ａにおいて一端部４０Ｂ側の端部には、軸方向Ｘに沿う平坦面４０Ｅが形成されている。平坦面４０Ｅの上端には、相手側の挿入空間形成部材４０へ向けて若干突出した凸部４０Ｆが設けられている。挿入空間４１の幅方向Ｗの寸法は、ＬＥＤ実装基板２の厚さ方向Ｔの寸法とほぼ同じである（図７参照）。ただし、厳密には、レンズ３が単体で存在する状態（他のレンズ３に連結されていない状態）における挿入空間４１の幅方向Ｗの寸法は、ＬＥＤ実装基板２の厚さ方向Ｔの寸法より若干大きい。また、挿入空間４１の幅方向Ｗの寸法は、他端部４０Ｃ側よりも一端部４０Ｂ側において狭くなっている。各挿入空間形成部材４０の一端部４０Ｂにおける外面（対向面４０Ａとは反対側の面）には、一端部４０Ｂ（凸部４０Ｆ側の部分）を階段状に細くする窪み４０Ｇが形成されている。
【００５９】
図８を参照して、各挿入空間形成部材４０に関連して、レンズ３は、補強部４２を含んでいる。補強部４２は、挿入空間形成部材４０に対して１つずつ設けられている。各補強部４２は、軸方向Ｘから見たときの挿入空間形成部材４０の長手方向（深さ方向Ｄ）に薄い板状であって、軸方向Ｘに延びている（図５Ａ参照）。なお、便宜上、補強部４２の図示が省略されている図がある。
【００６０】
図１１を参照して、各補強部４２は、対応する挿入空間形成部材４０の他端部４０Ｃ（厳密には、閉塞部３５よりも他端部４０Ｃ側の部分における深さ方向Ｄの略中央位置であり、図８参照）と閉塞部３５との両方に連結される三角形状をなしている。補強部４２によって、一対の挿入空間形成部材４０における軸方向Ｘの他端部４０Ｃは、補強されている。そのため、各挿入空間形成部材４０の他端部４０Ｃは、閉塞部３５との連結位置（支点位置Ｑということがある）を中心として撓みにくくなっている（揺動しにくくなっている）。一方、一対の挿入空間形成部材４０における軸方向Ｘの一端部４０Ｂは、補強されていないので、支点位置Ｑ（閉塞部３５との連結位置）を中心として揺動するように弾性変形可能である。
【００６１】
以上のようなレンズ３は、図７および図８に示すように軸方向Ｘから見て、スリット部２３、スリット部３０および切り欠き溝３６とレンズ３の円中心とを通る平坦面Ｍを基準として対称な形状となっている。
【００６２】
レンズ３の組み立ての際、複数個（ここでは５個）のレンズ３は、それぞれの軸方向Ｘが平行になった状態で、上下方向に沿って並べられる（図３Ａ、図４Ａおよび図５Ａ参照）。
【００６３】
隣り合うレンズ３の連結について、図１４Ａおよび図１４Ｂを参照しながら説明する。
【００６４】
図１４Ａに示すように隣り合う２つのレンズ３では、一例として、図１４Ａにおける下側の第２レンズ３Ｂの支持部２２の一端側当接端面２２Ｅが、図１４Ａにおいて上側にある他のレンズ３（第１レンズ３Ａ）の支持部２２の他端側当接端面２２Ｆに対して、軸方向Ｘから対向している。この状態から、図１４Ａの白抜き矢印で示すように、第２レンズ３Ｂを第１レンズ３Ａに接近させる。逆に、第１レンズ３Ａを第２レンズ３Ｂに接近させてもよい。
【００６５】
いずれにせよ、第１レンズ３Ａと第２レンズ３Ｂとの接近に伴い、図１４Ｂに示すように、第２レンズ３Ｂにおける一対の挿入空間形成部材４０の一端部４０Ｂが、第１レンズ３Ａにおける一対の挿入空間形成部材４０における軸方向Ｘの他端部４０Ｃの間に進入する。これにより、当該一端部４０Ｂ同士が接近する。そして、図１４Ｂに示すように第２レンズ３Ｂの支持部２２の一端側当接端面２２Ｅが第１レンズ３Ａの他端側（支持部２２の他端側当接端面２２Ｆ）と当接（面接触）すると、これらのレンズ３同士の連結が完了する。このとき、第２レンズ３Ｂの支持部２２の内側の各位置決めリブ３２の先端部３２Ａは、連結される第１レンズ３Ａの他端側（支持部２２の内周面２２Ｂ）に係合している。同様に第２レンズ３Ｂと第３レンズＣとを連結すると、図１４Ｂに示すように第２レンズ３Ｂの他端側当接端面２２Ｆが、第３レンズ３Ｃ（連結される他のレンズ３）の一端側（一端側当接端面２２Ｅ）と当接（面接触）する。また、第３レンズ３Ｃの各位置決めリブ３２の先端部３２Ａが第２レンズ３Ｂの他端側に係合する。よって、隣り合うレンズ３を、位置決めリブ３２の先端部３２Ａによって、相対位置が一定となった状態で連結することができる。また、平坦な一端側当接端面２２Ｅおよび他端側当接端面２２Ｆが相手側のレンズ３の支持部２２（一端側当接端面２２Ｅおよび他端側当接端面２２Ｆのうち対応する方）に当接する。これによって、各レンズ３の支持部２２は、連結される他のレンズ３を軸方向Ｘから支持（位置決め）している。つまり、支持部２２によって、隣り合って連結されたレンズ３同士の相対位置を安定させることができる。このとき、隣り合うレンズ３は、同軸状かつ平行になっている。
【００６６】
そして、最終的に、第１レンズ３Ａ〜第５レンズ３Ｅにおいて隣り合うレンズ３同士を同様の手順で連結し、図２に示すように、５個のレンズ３を数珠繋ぎで一体化する。一体化された５個のレンズ３では、一対の挿入空間形成部材４０の間に区画された挿入空間４１（５個のレンズ３に応じて５つ存在する）が、軸方向Ｘに延びる同一直線上に並び、連通している。
【００６７】
この状態で、ＬＥＤ実装基板２が、その長手方向Ｌが軸方向Ｘと一致した状態（平行になった状態）で、各レンズ３の挿入空間４１に挿入され、ＬＥＤ実装基板２の少なくとも一部が各レンズ３の挿入空間４１に内包（収容）される。ＬＥＤ実装基板２と各レンズ３との相対位置が適正であるとき（最終的に定まったとき）、図７に示すように、ＬＥＤ実装基板２は、前述した平坦面Ｍに沿った姿勢で、スリット部２３、スリット部３０および切り欠き溝３６に挿入されている。このとき、長手方向Ｌと軸方向Ｘとが一致しているだけでなく、各レンズ３に内包されたＬＥＤ実装基板２の短手方向Ｓと、前述した深さ方向Ｄとが一致していて、ＬＥＤ実装基板２の厚さ方向Ｔと、前述した幅方向Ｗとが一致している。
【００６８】
また、この状態では、図２に示すように、長手方向Ｌにおいて、ＬＥＤ１４の第１組１５Ａと第１レンズ３Ａとが同じ位置にある。また、長手方向Ｌにおいて、ＬＥＤ１４の第２組１５Ｂと第２レンズ３Ｂとが同じ位置にあり、第３組１５Ｃと第３レンズ３Ｃとが同じ位置にあり、第４組１５Ｄと第４レンズ３Ｄとが同じ位置にあり、第５組１５Ｅと第５レンズ３Ｅとが同じ位置にある。
【００６９】
各組１５における全てのＬＥＤ１４は、図７に示すように、対応する（長手方向Ｌで同じ位置にある）レンズ３における導光放射部２０のスリット部２３内に配置されている。ＬＥＤ実装基板２において、表面２Ａの各ＬＥＤ１４は、前述した一対の入射面２４における一方（ここでは、入射面２４Ａ）に対して、隙間を隔てて対向配置され、裏面２Ｂの各ＬＥＤ１４は、一対の入射面２４における他方（ここでは、入射面２４Ｂ）に対して、隙間を隔てて対向配置されている。
【００７０】
また、この状態では、ＬＥＤ実装基板２においてＬＥＤ１４が位置する側の（短手方向Ｓにおける）端部２Ｄは、各レンズ３において、支持部２２および導光放射部２０からはみ出して、補助レンズ部２１の移動抑止部２７（一対のレール部２６の間の溝）に嵌め込まれ、一対のレール部２６によって挟持されている。また、端部２Ｄは、移動抑止部２７内において補助レンズ部２１に対して短手方向Ｓから当接している。これにより、ＬＥＤ実装基板２の短手方向Ｓ（厳密には補助レンズ部２１側）および厚さ方向Ｔのそれぞれにおける移動が抑止されている。これにより、各レンズ３と、ＬＥＤ実装基板２において対応する位置にあるＬＥＤ１４との相対位置を安定させることができる。
【００７１】
一方、ＬＥＤ実装基板２において短手方向Ｓで端部２Ｄとは反対側の端部２Ｆは、レンズ３の閉塞部３５における切り欠き溝３６の底面３６Ａに対して、短手方向Ｓから当接している。これにより、短手方向Ｓ（厳密には、補助レンズ部２１側とは反対側）へのＬＥＤ実装基板２の移動が抑止されている。よって、各レンズ３と、ＬＥＤ実装基板２において対応する位置にあるＬＥＤ１４との相対位置を一層安定させることができる。なお、ＬＥＤ実装基板２では、短手方向Ｓにおいて端部２Ｄよりも端部２Ｆ側の部分が支持部２２に内包されている。
【００７２】
ＬＥＤ実装基板２の各ＬＥＤ１４が発光すると、各ＬＥＤ１４から放射された光（ＬＥＤ放射光）は、ＬＥＤ１４に対向配置された入射面２４からレンズ３の導光放射部２０内へ入射される。具体的には、ＬＥＤ実装基板２において、表面２Ａの各ＬＥＤ１４からの光は、入射面２４Ａから導光放射部２０内へ入射され、裏面２Ｂの各ＬＥＤ１４からの光は、入射面２４Ｂから導光放射部２０内へ入射される。各入射面２４から導光放射部２０内へ入射された光は、周方向Ｐに沿って導光放射部２０内を進行し、その際、導光放射部２０の周方向Ｐの全域において導光放射部２０から外方（径方向Ｒの外側）に放射される。つまり、入射面２４から導光放射部２０内へ入射された光は、導光放射部２０によって導かれ、導光放射部２０の周方向全域（周方向Ｐにおける全域）で外方に放射される。
【００７３】
導光放射部２０内での光の動きについて詳しく説明すると、光は、第１領域２０Ｄにおいては、第１領域２０Ｄの凸部２５によって、比較的外方へ放射されやすい。第２領域２０Ｅでは、一部の光が導光放射部２０の内側に放射されることがあるが、当該一部の光は、第３領域２０Ｆの凸部２５によって乱反射され、最終的には、外方へ放射される。
【００７４】
一方、導光放射部２０のスリット部２３から漏れた光は、補助レンズ部２１に受け渡され、補助レンズ部２１によって外方へ放射される。また、補助レンズ部２１およびその内側面２１Ｂには、ＬＥＤ１４の直接照射光のうち、入射面２４を介して導光放射部２０に入射されなかった光が照射される。補助レンズ部２１および内側面２１Ｂは、ＬＥＤ１４からの直接照射光を外周面２０Ａから導光放射部２０に入射されるように反射する。また、補助レンズ部２１および内側面２１Ｂは、ＬＥＤ１４からの直接放射光を自己の外側面２１Ａおよび端面２１Ｃから放射する。それによって、各レンズ３では、周方向Ｐの全周において、周方向Ｐでの視認性に変化が生じにくい信号報知を行うことができる。
【００７５】
以上の結果、各レンズ３では、周方向Ｐにおける全域においてほぼ均一に光が放射される。
【００７６】
ちなみに、各レンズ３に対して外からの光が入ってくることがある。当該光が導光放射部２０を透過して導光放射部２０の内側に進行すると、この光は、支持部２２において遮光処理が施された外周面２２Ａ（凸部３１）によって乱反射される。これにより、外からの光が弱められる。また、導光放射部２０の内側に漏れた光が支持部２２を透過してから導光放射部２０に入射されることに起因して導光放射部２０での光の放射特性に悪影響が生じることを、当該凸部３１によって防止することもできる。これらの結果、導光放射部２０から外部に放射される光を際立たせることができる。なお、外周面２２Ａに遮光処理が施された支持部２２は、その内側のＬＥＤ実装基板２に対する目隠しとして機能することもできる。同様に、補助レンズ部２１は、ＬＥＤ実装基板２において導光放射部２０のスリット部２３から露出された部分（端部２Ｄ）を目隠しする役割も果たしている。
【００７７】
また、図１４Ｂを参照して、第１レンズ３Ａ以外の各レンズ３では、前述したように、一対の挿入空間形成部材４０における一端部４０Ｂ同士が、連結される他のレンズ３における一対の挿入空間形成部材４０の他端部４０Ｃの間に進入することで、弾性変形により接近している。当該一端部４０Ｂ同士の間における挿入空間４１の（幅方向Ｗにおける）寸法は、ＬＥＤ実装基板２の厚さ方向Ｔにおける寸法よりも小さい。そのため、当該一端部４０Ｂ（特に、前述した平坦面４０Ｅおよび凸部４０Ｆであり、図１１参照）同士は、ＬＥＤ実装基板２（ＬＥＤ１４を避けた端部２Ｆ側の部分）を、所定以上の圧力で厚さ方向Ｔから挟持している（図７も参照）。
【００７８】
また、一対の挿入空間形成部材４０の他端部４０Ｃが補強部４２によって補強されて撓みにくくなっている。この場合、一端部４０Ｂは、連結される他のレンズ３の一対の挿入空間形成部材４０における軸方向Ｘの他端部４０Ｃの間に進入する際、補強部４２によって補強された当該他端部４０Ｃの間を進入する。そのため、当該一端部４０Ｂ同士は、確実に弾性変形して接近し、ＬＥＤ実装基板２を厚さ方向Ｔから挟持することができる。
【００７９】
このように、この電気機器１では、複数個のレンズ３を軸方向Ｘに連結させると、各レンズ３において、一対の挿入空間形成部材４０における一端部４０ＢがＬＥＤ実装基板２を厚さ方向Ｔから強く挟持する。これにより、各レンズ３と、ＬＥＤ実装基板２において対応する位置（長手方向Ｌで同じ位置）にあるＬＥＤ１４との相対位置が安定する。また、図７に示す移動抑止部２７や切り欠き溝３６の底面３６Ａによって、各レンズ３と、ＬＥＤ実装基板２において対応する位置にあるＬＥＤ１４との相対位置が一層安定する。よって、その結果、電気機器１では、振動があっても、ＬＥＤ１４からの光を安定してレンズ３に導いて照射することができる。
【００８０】
また、前述したように、各レンズ３では、導光放射部２０のスリット部２３に、ＬＥＤ実装基板２の短手方向Ｓにおける端部２Ｄ側へ偏った位置に実装されたＬＥＤ１４が配置される。導光放射部２０におけるスリット部２３の一対の対向端面が入射面２４になっていて、入射面２４からレンズ３内へ入射された光は、導光放射部２０によって導かれ、その周方向全域で外方に放射される。このような構成であれば、電気機器１において、ＬＥＤ実装基板２とレンズ３とを、互いに極力接近するようにコンパクトにまとめて配置できる。つまり、小型化やシンプル化につながる新規構造の電気機器１を提供することができる。
【００８１】
以下では、図２および図１４Ｂに示すように、連結された複数個（最終的には５個）のレンズ３と、各レンズ３の一対の挿入空間形成部材４０における一端部４０Ｂによって挟持されたＬＥＤ実装基板２とを、内部ユニット１００ということにする。なお、以上で説明した内部ユニット１００の組み立て手順では、先にレンズ３を連結してから各レンズ３の挿入空間４１にＬＥＤ実装基板２を挿入している。この手順に代えて、非連結状態で並べた複数個のレンズ３の挿入空間４１にＬＥＤ実装基板２を予め挿入してから、隣り合うレンズ３を連結させることで、内部ユニット１００を組み立ててもよい。
【００８２】
次に、ＬＥＤ実装基板２およびレンズ３以外の構成について説明する。なお、以下で説明する円形状（円筒状）の部品は、電気機器１に組み込まれた状態ではレンズ３と略同軸上に配置されるので、当該部品における外周面や内周面等の周方向を（レンズ３の）周方向Ｐとし、当該部品の径方向を（レンズ３の）径方向Ｒとして各部品について説明することがある。
【００８３】
図４Ｂおよび図５Ｂを参照して、ボディ４は、ＬＥＤ実装基板２においてＬＥＤ１４が実装されていない下側部分を収容する中空円筒状であって、その中心軸は、上下方向（長手方向Ｌおよび軸方向Ｘと同じ）に延びている。そのため、ボディ４の上端縁４Ａおよび下端縁４Ｂは、いずれも環状である。そして、ボディ４の中空部分は、上下の両方から露出されている。ボディ４の内周面には、上下に延びるボス部５０が複数（ここでは２つ）形成されている。これらのボス部５０は、ボディ４の内周面の周方向Ｐにおいて間隔を隔てて配置されている。各ボス部５０には、上下に延びるねじ穴５０Ａが形成されている。
【００８４】
ボディ４の外周面４Ｃは、その上端において上端縁４Ａに連続している。外周面４Ｃは、上端縁４Ａ側（ボディ４の上端部）において一段縮径されていて、外周面４Ｃにおいて縮径された部分（上端部）の上側領域には、外周面４Ｃの周方向Ｐに沿って延びる環状溝４Ｄが形成されている。また、外周面４Ｃにおいて縮径された部分の下側領域（環状溝４Ｄよりも下側）には、外周面４Ｃから突出しつつ周方向Ｐに沿って延びるリブ４Ｅが形成されている。リブ４Ｅは、複数設けられていて、周方向Ｐにおいて間隔を隔てて並んでいる。
【００８５】
また、図５Ｂに示すように、ボディ４の内周面の下端部には、複数の係止溝４Ｆが設けられている。これらの係止溝４Ｆは、ボディ４の内周面の周方向Ｐにおいて間隔を隔てて配置されている。各係止溝４Ｆは、ボディ４の内周面の下端縁４Ｂから上方へ延びた後に略直角に折れ曲がって周方向Ｐにおける所定方向（図５Ｂの場合、下方から見て時計回りの方向）に延びるＬ字状をなしている。
【００８６】
プレート５は、上下に薄い略円板形状であり、その上面の円中心側の位置には、図４Ｂに示すように、プレート５を厚さ方向に貫通する挿通孔５Ａが形成されている。図５Ｂに示すように、プレート５において挿通孔５Ａを避けた位置には、複数（ここでは２つ）の貫通孔５Ｂが形成されている。これらの貫通孔５Ｂは、プレート５を厚さ方向に貫通する丸穴であり、プレート５の周方向Ｐにおいて間隔を隔てて配置されている。挿通孔５Ａは、これらの貫通孔５Ｂに挟まれた位置にある。図４Ｂに示すように、プレート５の上面において、各貫通孔５Ｂと一致する位置には、貫通孔５Ｂを取り囲みつつ上方へ延びる円管状のボス５Ｃが１つずつ（合計で２つ）設けられている。プレート５の上面において貫通孔５Ｂを避けた位置には、図３Ｂに示すように、支持部５１が取り付けられている。支持部５１は、略直方体のブロック形状である。支持部５１では、少なくとも一部が、ゴムやスポンジ等の弾性部材を含んでおり、支持部５１は弾性変形可能である。なお、図４Ｂおよび図５Ｂでは、説明の便宜上、支持部５１の図示を省略している。
【００８７】
プレート５は、自身が水平となり、ボス５Ｃおよび支持部５１が上を向いた状態で、ボディ４内に下から収容されている。図２に示すように、プレート５の各貫通孔５Ｂおよびボス５Ｃの中空部分には、ねじ５６が下から挿通され、ボディ４内で対応するボス部５０のねじ穴５０Ａに組み付けられている。これにより、プレート５は、ボディ４に固定されている。
【００８８】
図４Ｂに示すように、ブラケット６は、中空円筒状であって、その中心軸は、上下方向に延びている。ブラケット６の下端には、円板状の底壁６Ａが一体的に設けられていて、ブラケット６の中空部分は、底壁６Ａによって下から塞がれている。図５Ｂに示すように、底壁６Ａには、複数（ここでは３つ）の貫通孔６Ｂが形成されている。これらの貫通孔６Ｂは、底壁６Ａを厚さ方向に貫通する丸穴であり、底壁６Ａの周方向Ｐにおいて間隔を隔てて配置されている。図４Ｂに示すように、底壁６Ａの上面において各貫通孔６Ｂと重なる部分には、ナット５２が１つずつ固定されている。ナット５２の中空部分（ねじが形成された部分）と、その下の貫通孔６Ｂとは連通している。底壁６Ａにおいて貫通孔６Ｂを避けた位置には、底壁６Ａを厚さ方向に貫通する貫通孔６Ｃが形成されている。貫通孔６Ｃは、貫通孔６Ｂよりも大きい略矩形状をなしている（図５Ｂ参照）。
【００８９】
また、ブラケット６の外周面は、上端部において一段縮径されていて、当該上端部の外周面の上側領域には、当該外周面の周方向Ｐに沿って延びる環状溝６Ｄが形成されている。また、ブラケット６の上端部（縮径された部分）における外周面の下側領域（環状溝６Ｄよりも下側）には、当該外周面から突出しつつ周方向Ｐに沿って延びるリブ６Ｅが形成されている。リブ６Ｅは、複数（ブラケット６の係止溝４Ｆと同数）設けられていて、周方向Ｐにおいて間隔を隔てて並んでいる。
【００９０】
図５Ｂを参照して、ブラケット６の上側部分をボディ４内に下から嵌め入れて、ボディ４内のプレート５に対して下から対向させ、ブラケット６の各リブ６Ｅを、ボディ４の内周面の係止溝４Ｆに一つずつ係止させる。詳しくは、各リブ６Ｅを、対応する係止溝４Ｆにおいて上下に延びている部分の上端まで移動させてから、ブラケット６をボディ４に対して相対回転させ（捩じり）、各リブ６Ｅを、係止溝４Ｆにおいて周方向Ｐに延びている部分に係止させる。つまり、リブ６Ｅと係止溝４Ｆとを結合させる。これにより、ブラケット６がボディ４に対して固定される。この状態では、リブ６Ｅが、係止溝４Ｆにおいて周方向Ｐに延びている部分に上から引っ掛かっているので、ブラケット６はボディ４から下方へ引き抜けない。しかし、ブラケット６をボディ４に固定するために先ほど説明した手順とは逆の手順を踏むことによって、ブラケット６をボディ４から取り外すことができる。
【００９１】
電気機器１を台座（図示せず）等に固定する場合、台座側のねじ（図示せず）を各貫通孔６Ｂに通してナット５２（図４Ｂ参照）に組み付けると、電気機器１全体が台座に対して固定される。
【００９２】
防水リング７は、リング状に形成されたゴムパッキンであり、ブラケット６の外周面の上端部に対して外嵌される。厳密には、防水リング７は、ブラケット６の外周面の上端部における環状溝６Ｄにセットされる。この実施形態では、防水リング７は、複数本（２本）存在し、上下に並んだ状態で環状溝６Ｄにセットされている。ブラケット６がボディ４に固定された状態では、各防水リング７は、ブラケット６の上端部とボディ４の内周面の下端部との間を、周方向Ｐの全域に亘って密封している（図２参照）。これにより、ブラケット６の上端部とボディ４の内周面との間を通ってブラケット６やボディ４内に水が浸入することが防止される。
【００９３】
防水シート８は、ゴム等の弾性体のシートで形成された円板状である。防水シート８には、防水シート８を厚さ方向に貫通する貫通孔８Ａおよび貫通孔８Ｂが形成されている。貫通孔８Ｂは、略半円形状であり、貫通孔８Ａより大きい。防水シート８は、ブラケット６の底壁６Ａの下面に取り付けられている。厳密には、底壁６Ａの下面には、各貫通孔６Ｂおよび貫通孔６Ｃを取り囲みつつ上側へ浅く窪む凹み６Ｆが形成されており、防水シート８の一部が凹み６Ｆに収容されつつ、少なくとも下端部が凹み６Ｆから下側へはみ出している（図１および図２参照）。貫通孔８Ａから、ブラケット６の底壁６Ａにおける１つの貫通孔６Ｂが下方に露出され、貫通孔８Ｂから、残り２つの貫通孔６Ｂと貫通孔６Ｃとが下方に露出される。防水シート８は、前述した台座（図示せず）とブラケット６の底壁６Ａとの間を密封する役割を果たす。これにより、台座と底壁６Ａとの間を通って電気機器１内に水が浸入することが防止される。
【００９４】
防水リング９は、ゴム等で形成されたリング状の防水パッキンである。詳しくは、防水リング９は、上下に延びる円環状の本体部９Ａと、本体部９Ａの上端縁から本体部９Ａの円中心側へ環状に張り出した鍔部９Ｂとを一体的に含んでいる。本体部９Ａの下側部分は、上側部分よりも一段縮径されていて、当該下側部分の外周面には、当該外周面から突出しつつ当該外周面の周方向Ｐに沿って延びる環状をなすリブ９Ｃが、複数（ここでは２つ）上下に並んで設けられている（図３Ｂも参照）。これらのリブ９Ｃは、防水リング９に対して一体的に設けられており、本体部９Ａの軸方向（前述した軸方向Ｘおよび長手方向Ｌと同じ）における中央部よりも下方に設けられている。
【００９５】
このような防水リング９は、ボディ４の外周面４Ｃの上端部に対して上から外嵌されている。厳密には、図２に示すように、防水リング９の鍔部９Ｂが、ボディ４における環状の上端縁４Ａの周方向全域（周方向Ｐにおける全域であり、以下同じ）に対して上から引っ掛かっており、これによって、防水リング９は、ボディ４によって下から支持されている。また、防水リング９の本体部９Ａは、その下側部分（縮径された部分）がボディ４の外周面４Ｃの上端部における環状溝４Ｄの周方向全域に対して外側から嵌まり込んだ状態で、ボディ４の外周面４Ｃの上端部の周方向全域を外から覆っている。つまり、防水リング９は、ボディ４の上端縁４Ａと、ボディ４において当該上端縁４Ａに連続する外側面（外周面４Ｃ）とを上端縁４Ａの周方向Ｐに沿って被覆している。
【００９６】
以上で説明したボディ４、プレート５、ブラケット６、防水リング７、防水シート８および防水リング９は、ベース部６０を構成している。
【００９７】
図５Ａを参照して、アウターレンズ１０は、前述した内部ユニット１００を収容するための中空部分１０Ａを有する中空円筒状であって、その中心軸は、上下方向に延びている。アウターレンズ１０は、耐衝撃性および透光性を有する透明な樹脂（たとえば、ポリカーボネート）で形成されている。アウターレンズ１０の中空部分１０Ａは、上下の両方から露出されている（つまり上下に開放されている）。
【００９８】
また、アウターレンズ１０の上端部１０Ｂは、一段縮径されている。アウターレンズ１０の外周面１０Ｃにおいて上端部１０Ｂの周方向全域には、外周面１０Ｃから突出しつつ外周面１０Ｃの周方向Ｐに沿って延びる環状のリブ１０Ｄが１つ形成されている。また、アウターレンズ１０の外周面１０Ｃにおいて上端部１０Ｂに下から隣接する領域には、下方へ延びる切り欠き溝１０Ｅが形成されている。切り欠き溝１０Ｅは、複数（ここでは２つ）形成されていて、周方向Ｐにおいて間隔を隔てて配置されている。また、アウターレンズ１０の内周面１０Ｆの下端部には、アウターレンズ１０の径方向Ｒにおける外側へ僅かに窪みつつアウターレンズ１０から下方に露出される凹部１０Ｇが形成されている。凹部１０Ｇは、複数（ボディ４のリブ４Ｅと同数）形成されていて、内周面１０Ｆの周方向Ｐにおいて間隔を隔てて配置されている。各凹部１０Ｇの底面（凹部１０Ｇにおける内周面１０Ｆ）には、周方向Ｐに延びる係止溝１０Ｈが１つ形成されている。
【００９９】
図２に示すように完成した電気機器１では、防水リング９が取り付けられたボディ４の上端部が、アウターレンズ１０の中空部分１０Ａに下から嵌め入れられることによって、ボディ４がアウターレンズ１０に対して固定されている。このとき、ボディ４の各リブ４Ｅ（図５Ｂ参照）が、アウターレンズ１０において対応する（周方向Ｐで同じ位置にある）係止溝１０Ｈ（図５Ａ参照）に嵌まり込んでいる。各リブ４Ｅは、アウターレンズ１０の内周面１０Ｆにおいて係止溝１０Ｈが形成された部分に対して上から引っ掛かっている。そのため、ボディ４は、アウターレンズ１０に一旦組み付けられると、アウターレンズ１０から下方へ引き抜くことができない。つまり、ボディ４は、アウターレンズ１０に対して下から分離不能に（いわゆる嵌め殺し状態で）連結されたことになり、アウターレンズ１０の中空部分１０Ａを下から塞いでいる。ちなみに、ここでの「分離不能に連結」とは、ボディ４が、少なくとも工具を使わなければアウターレンズ１０から分離できないように（つまり素手では分離できないように）、アウターレンズ１０に連結されていることを意味している（以降で述べるアウタートップ１１についても同様）。なお、ボディ４をアウターレンズ１０に対して分離不能に連結する構成の別の例として、ねじ（好ましくは専用工具が必要な特殊形状のねじ）を用いてボディ４をアウターレンズ１０に対して固定（ねじ止め）する構成等が挙げられる。
【０１００】
以上のように、アウターレンズ１０は、ボディ４（つまり、前述したベース部６０）によって支持される。
【０１０１】
また、ボディ４とアウターレンズ１０とが連結された状態では、防水リング９は、アウターレンズ１０の中空部分１０Ａの下端部に位置し、ボディ４とアウターレンズ１０の連結部６３に設けられている。連結部６３は、ボディ４の上端部（上端縁４Ａも含む）とアウターレンズ１０の下端部とによって構成されている。防水リング９では、本体部９Ａが、ボディ４の上端部とアウターレンズ１０の下端部とに挟み込まれて支持されていて、各リブ９Ｃが、ボディ４の上端部とアウターレンズ１０の下端部との間を周方向全域に亘って密封している。これにより、ボディ４とアウターレンズ１０との間を通ってボディ４やアウターレンズ１０内に水が浸入することが防止されている。また、防水リング９の鍔部９Ｂは、アウターレンズ１０の中空部分１０Ａの下端部において、アウターレンズ１０の内周面１０Ｆからアウターレンズ１０の円中心側（径方向Ｒにおける内側）へ突出している。
【０１０２】
図４Ａを参照して、アウタートップ１１は、円板形状の閉塞部１１Ａと、閉塞部１１Ａの外周縁を縁取りつつ閉塞部１１Ａから上下に突出するリング状（円筒状）のフランジ部１１Ｂとを一体的に含んでいる。
【０１０３】
閉塞部１１Ａの上面の略円中心位置には、下方へ窪む凹部１１Ｃが形成されている。凹部１１Ｃは、上方から見て略矩形状をなしている。凹部１１Ｃの底面には、細長く延びるスリット状の露出穴１１Ｄが形成されている。露出穴１１Ｄは、閉塞部１１Ａを上下に貫通している。なお、閉塞部１１Ａの上面において露出穴１１Ｄに隣接する位置には、設定ボタン７８が設けられている。設定ボタン７８は、ＬＥＤ実装基板２（図４Ｂ参照）に対して電気的に接続されている。ユーザが設定ボタン７８を操作することによって、各ＬＥＤ１４の発光パターンを所望のパターンへと設定することができる。
【０１０４】
図５Ａを参照して、閉塞部１１Ａの下面の略円中心位置には、下方へ突出する一対の挟持突起５３が設けられている。一対の挟持突起５３は、各レンズ３における一対の挿入空間形成部材４０の他端部４０Ｃとほぼ同じ構成になっている。また、閉塞部１１Ａの下面には、補強部５４が設けられていてもよい。補強部５４は、前述した補強部４２と同様の構成であり、挟持突起５３毎に設けられていて、対応する挟持突起５３を補強している。
【０１０５】
図４Ａを参照して、フランジ部１１Ｂの下端縁には、下方へ凸状に突出する係合部５５が一体的に設けられている。係合部５５は、複数（アウターレンズ１０の切り欠き溝１０Ｅと同数）設けられていて、フランジ部１１Ｂの周方向Ｐにおいて間隔を隔てて配置されている。フランジ部１１Ｂの上側部分は、下側部分よりも一段縮径されている。当該上側部分におけるフランジ部１１Ｂの外周面には、当該外周面から突出しつつ当該外周面の周方向Ｐに沿って延びるリブ１１Ｅが形成されている。リブ１１Ｅは、複数設けられていて、周方向Ｐにおいて間隔を隔てて並んでいる。当該上側部分におけるフランジ部１１Ｂの外周面においてリブ１１Ｅより上側の領域には、周方向Ｐに沿って延びる環状溝１１Ｆが形成されている。
【０１０６】
また、図５Ａに示すように、フランジ部１１Ｂの内周面の下端部には、フランジ部１１Ｂの内周面の周方向Ｐに延びる係止溝１１Ｇが１つ形成されている。なお、フランジ部１１Ｂにおいて前述したように一段縮径された上側部分と下側部分との境界部に、符号「１１Ｈ」を付すことにする。境界部１１Ｈは、閉塞部１１Ａよりも下側にある（図２も参照）。
【０１０７】
完成した電気機器１において、アウタートップ１１は、フランジ部１１Ｂがアウターレンズ１０の上端部１０Ｂに対して上から外嵌されるように、アウターレンズ１０の上端部１０Ｂに組み付けられている。この状態では、図２に示すように、アウタートップ１１の閉塞部１１Ａがアウターレンズ１０の中空部分１０Ａを上から塞いでいて、アウターレンズ１０の上端部１０Ｂの外周面に形成されたリブ１０Ｄが、フランジ部１１Ｂの内周面の係止溝１１Ｇに対して周方向全域に亘って引っ掛かっている（図５Ａも参照）。リブ１０Ｄは、フランジ部１１Ｂにおいて係止溝１１Ｇが形成された部分に対して上から引っ掛かっている。そのため、アウタートップ１１は、アウターレンズ１０に一旦組み付けられると、アウターレンズ１０から上方へ引き抜くことができない。つまり、アウタートップ１１は、アウターレンズ１０に対して下から分離不能に（嵌め殺し状態で）連結されている。また、フランジ部１１Ｂの各係合部５５が、アウターレンズ１０の上端部１０Ｂにおいて対応する（周方向Ｐで同じ位置にある）切り欠き溝１０Ｅに上から嵌まり込み（図１参照）、アウターレンズ１０の上端部１０Ｂに対して周方向Ｐから引っ掛かっている。そのため、アウタートップ１１は、アウターレンズ１０に対して周方向Ｐに相対移動できなくなっている。
【０１０８】
以上のように、アウタートップ１１は、アウターレンズ１０に対して上から分離不能に連結されている。また、この状態のアウタートップ１１では、一対の挟持突起５３がアウターレンズ１０の中空部分１０Ａに上から進出している。
【０１０９】
図５Ａを参照して、防水キャップ１２は、ゴム等で形成されたリング状の防水パッキンである。詳しくは、防水キャップ１２は、環状の内側部分１２Ａと、内側部分１２Ａよりも大径の環状をなす外側部分１２Ｂと、内側部分１２Ａおよび外側部分１２Ｂの上端縁同士をつなぐ連結部１２Ｃとを一体的に含んでいる。そのため、図２に示すように防水キャップ１２における周方向Ｐの任意の１箇所を切断したときの切断面は、下方へ開放された凹状をなしている。
【０１１０】
完成した電気機器１において、防水キャップ１２は、アウターレンズ１０とアウタートップ１１との連結部６４に設けられている。連結部６４は、アウターレンズ１０の上端部１０Ｂ（上端部１０Ｂの先端において環状をなす上端縁１０Ｊも含む）とアウタートップ１１のフランジ部１１Ｂの下端部とによって構成されている。詳しくは、防水キャップ１２は、アウタートップ１１のフランジ部１１Ｂの下端部に対して内嵌されつつ、アウターレンズ１０において環状をなす上端縁１０Ｊに対して上から引っ掛かるように取り付けられている。
【０１１１】
この状態の防水キャップ１２では、連結部１２Ｃが、アウターレンズ１０の上端縁１０Ｊに対して周方向全域に亘って上から当接しつつ、フランジ部１１Ｂの上下方向途中の境界部１１Ｈに対して周方向全域に亘って下から当接している。また、防水キャップ１２では、外側部分１２Ｂが、アウタートップ１１のフランジ部１１Ｂにおいて境界部１１Ｈより下側の部分に対して圧入されていて、アウターレンズ１０の上端部１０Ｂの外周面１０Ｃと、アウタートップ１１のフランジ部１１Ｂの内周面との間に挟み込まれている。そのため、防水キャップ１２は、アウターレンズ１０およびアウタートップ１１によって支持（位置決め）されている。そして、防水キャップ１２では、内側部分１２Ａが、アウターレンズ１０の上端部１０Ｂの内周面１０Ｆに沿うように、アウターレンズ１０の内周面１０Ｆ側に位置している。
【０１１２】
つまり、防水キャップ１２は、アウターレンズ１０において上端縁１０Ｊに連続する外側面（外周面１０Ｃ）と、アウターレンズ１０において上端縁１０Ｊに連続する内側面（内周面１０Ｆ）とに上から跨りつつ、アウターレンズ１０とアウタートップ１１とに挟み込まれて支持されている。この状態で、防水キャップ１２では、外側部分１２Ｂが、アウタートップ１１のフランジ部１１Ｂとアウターレンズ１０の上端部１０Ｂとの間を周方向全域に亘って密封している。これにより、アウタートップ１１とアウターレンズ１０の上端部１０Ｂとの間を通ってアウターレンズ１０やアウタートップ１１内に水が浸入することが防止されている。
【０１１３】
図５Ａを参照して、ヘッドカバー１３は、円形のキャップ形状である。ヘッドカバー１３は、円板形状の閉塞部１３Ａと、閉塞部１３Ａの外周縁を縁取りつつ閉塞部１３Ａから下方に突出するリング状のフランジ部１３Ｂとを一体的に含んでいる。フランジ部１３Ｂの内周面の下端部には、複数（アウタートップ１１のリブ１１Ｅと同数）の係止溝１３Ｃが設けられている。これらの係止溝１３Ｃは、フランジ部１３Ｂの内周面の周方向Ｐにおいて間隔を隔てて配置されている。各係止溝１３Ｃは、フランジ部１３Ｂの内周面の下端縁から上方へ延びた後に略直角に折れ曲がって周方向Ｐにおける所定方向（図５Ａの場合、下方から見て時計回りの方向）に延びるＬ字状をなしている。
【０１１４】
ヘッドカバー１３は、アウタートップ１１の上面を覆うようにアウタートップ１１に対して上から組み付けられる。その際、アウタートップ１１の各リブ１１Ｅを、ヘッドカバー１３の内周面の係止溝１３Ｃに一つずつ係止させる。詳しくは、各リブ１１Ｅを、対応する係止溝１３Ｃにおいて上下に延びている部分の上端まで移動させてから、ヘッドカバー１３をアウタートップ１１に対して相対回転させ（捩じり）、各リブ１１Ｅを、係止溝１３Ｃにおいて周方向Ｐに延びている部分に係止させる。つまり、リブ１１Ｅと係止溝１３Ｃとを結合させる。これにより、ヘッドカバー１３がアウタートップ１１に対して固定される。この状態では、リブ１１Ｅが、係止溝１３Ｃにおいて周方向Ｐに延びている部分に上から引っ掛かっているので、ヘッドカバー１３はアウタートップ１１から上方へ引き抜けない。しかし、ヘッドカバー１３をアウタートップ１１に固定するために先ほど説明した手順とは逆の手順を踏むことによって、ヘッドカバー１３をアウタートップ１１から取り外すことができる。
【０１１５】
図３Ａを参照して、防水リング１８は、リング状で形成されたゴムパッキンであり、その外周面には、周方向Ｐに沿って延びる環状の２本のリブ１８Ａが、上下に並んで設けられている。防水リング１８は、図２に示すように、アウタートップ１１の外周面に対して外嵌されている。厳密には、防水リング１８は、アウタートップ１１の外周面の上端部における環状溝１１Ｆにセットされる。防水リング１８における各リブ１８Ａは、アウタートップ１１の上端部とヘッドカバー１３のフランジ部１３Ｂの内周面との間を周方向全域に亘って密封している。これにより、アウタートップ１１の上端部とフランジ部１３Ｂとの間を通ってアウタートップ１１内に水が浸入することが防止される。
【０１１６】
前述した内部ユニット１００（軸方向Ｘに連結された５個のレンズ３と、ＬＥＤ実装基板２）は、アウターレンズ１０の中空部分１０Ａ内に収容される。最上位の第１レンズ３Ａでは、一対の挿入空間形成部材４０における一端部４０Ｂ同士が、アウタートップ１１における一対の挟持突起５３の間に進入することで接近し、ＬＥＤ実装基板２の上端部（長手方向における一端部）２Ｇを厚さ方向Ｔから挟持している。このとき、一対の挟持突起５３は、当該一端部４０Ｂを介することによって、（他のレンズ３に連結した）第１レンズ３ＡまたはＬＥＤ実装基板２の上端部２Ｇを、直接的または間接的に支持している。
【０１１７】
ＬＥＤ実装基板２においてＬＥＤ１４が実装されていない下側部分は、前述したようにボディ４内に収容されていて、ボディ４内のプレート５の支持部５１に対して上から接触している。支持部５１は、前述したように弾性変形可能であるから、ＬＥＤ実装基板２の下端部２Ｈ（長手方向Ｌにおける他端部）を上向きに付勢するように支持している。これにより、５つのレンズ３とＬＥＤ実装基板２とが（つまり、内部ユニット１００全体が）、アウタートップ１１の挟持突起５３に対して下側から押し付けられている。そのため、挟持突起５３および支持部５１によって、ＬＥＤ実装基板２および複数個のレンズ３の全体（つまり内部ユニット１００）を、がたが生じないように、弾性保持することができる。
【０１１８】
また、前述したようにボディ４によって支持された状態の防水リング９では、鍔部９Ｂが、内部ユニット１００における最下位の第５レンズ３Ｅの導光放射部２０の周方向全域に対して下から当接している。換言すれば、ボディ４における環状の上端縁４Ａは、上端縁４Ａに取り付けられた防水リング９の鍔部９Ｂを介して、内部ユニット１００（第５レンズ３Ｅ）を、上端縁４Ａの周方向Ｐに沿って下から弾性支持している。
【０１１９】
また、前述したようにアウタートップ１１によって支持された状態の防水キャップ１２では、内側部分１２Ａが、内部ユニット１００における最上位の第１レンズ３Ａの導光放射部２０の周方向全域に対して上から当接している。これにより、内部ユニット１００に対して共に当接している防水リング９および防水キャップ１２は、互いの間で内部ユニット１００（第１レンズ３Ａ〜第５レンズ３Ｅの全体）を上下から弾性的に挟持している。
【０１２０】
以上のように、電気機器１では、中空部分１０Ａに内部ユニット１００を収容したアウターレンズ１０に対して、ボディ４が下から分離不能に連結され、アウタートップ１１が上から分離不能に連結されている。
【０１２１】
アウターレンズ１０にボディ４およびアウタートップ１１のそれぞれが連結されることによって、電気機器１全体の形状が維持される。また、アウターレンズ１０の中空部分１０Ａがボディ４およびアウタートップ１１によって上下から塞がれているので、アウターレンズ１０内の内部ユニット１００がユーザ等によってアクセスされたり、外部からの衝撃が内部ユニット１００に直接作用したりすることを防止できる。
【０１２２】
そして、アウターレンズ１０とボディ４との連結部６３に設けられた防水リング９が、内部ユニット１００に下から当接し、アウターレンズ１０とアウタートップ１１との連結部６４に設けられた防水キャップ１２が、内部ユニット１００に上から当接している。これによって、内部ユニット１００が、上下に位置決めされるように、防水キャップ１２と防水リング９との間で上下から弾性的に挟持されている。この場合、電気機器１に振動が生じたり衝撃が加わったりしても、防水キャップ１２および防水リング９によって、この振動や衝撃を緩和して、振動や衝撃が内部ユニット１００に伝達されないようにすることができる。
【０１２３】
以上の結果、電気機器１では、収容された内部ユニット１００を確実に支持できるとともに、振動や衝撃から保護することができる。
【０１２４】
また、防水リング９がボディ４によって支持され、防水キャップ１２がアウタートップ１１によって支持されているので、電気機器１の組み立ての際に、防水リング９および防水キャップ１２のそれぞれの位置がずれることを防止できる。よって、電気機器１の組み立てが容易である。
【０１２５】
詳しくは、防水リング９は、ボディ４の上端縁４Ａに引っ掛かることで上下に位置決めされている。そのため、電気機器１の製造段階でボディ４がアウターレンズ１０に下から取り付けられる際、防水リング９がアウターレンズ１０に引っ張られて上下にずれる（詳しくは下方へ落ち込む）ことを防止できる。また、ボディ４における環状の上端縁４Ａが、防水リング９を介して、内部ユニット１００を周方向Ｐに沿って支持しているので、内部ユニット１００の位置が安定し、内部ユニット１００のぐらつきを防止できる。
【０１２６】
また、電気機器１の組み立ての際に、防水キャップ１２は、アウターレンズ１０の上端縁１０Ｊに対して、アウターレンズ１０の外周面１０Ｃと内周面１０Ｆとに跨るように上から引っ掛かることで上下に位置決めされていてもよい。その場合、電気機器１の製造段階でアウタートップ１１がアウターレンズ１０に上から取り付けられる際、防水キャップ１２がアウタートップ１１に引っ張られて上下にずれる（詳しくは下方へ落ち込む）ことを防止できる。
【０１２７】
また、防水リング９および防水キャップ１２は、内部ユニット１００への振動や衝撃に対する緩衝材としての役割だけでなく、電気機器１の防水性を確保する役割も兼ねるので、電気機器１における部品点数の削減を図ることができる。また、防水リング９がアウターレンズ１０とボディ４とに挟み込まれて支持され、防水キャップ１２がアウターレンズ１０とアウタートップ１１とに挟み込まれて支持されることから、電気機器１では、防水リング９および防水キャップ１２のそれぞれを確実に支持することができる。
【０１２８】
そして、以上の構成の電気機器１では、振動があっても、ＬＥＤ１４からの光を一層安定してレンズ３に導いて照射することができる。
【０１２９】
また、ＬＥＤ実装基板２の長手方向Ｌの一端側（当該一端側のレンズ３またはＬＥＤ実装基板２の一端部（上端部２Ｇ））が、アウターレンズ１０側の挟持突起５３によって支持され、ＬＥＤ実装基板２の長手方向Ｌにおける他端部（下端部２Ｈ）が、ベース部６０の支持部５１によって支持される。そして、アウターレンズ１０がベース部６０に連結されることによって、５個のレンズ３全体がアウターレンズ１０およびベース部６０の両方に固定される。これにより、電気機器１内において、レンズ３およびＬＥＤ実装基板２のそれぞれを保持することができる。よって、電気機器１では、振動があっても、ＬＥＤ１４からの光を一層安定してレンズ３に導いて照射することができる。具体的には、ＬＥＤ１４が発光した光は、各レンズ３によって放射され、アウターレンズ１０を通って、電気機器１の周方向全域からアウターレンズ１０の外部に放射される。
【０１３０】
図４Ｂを参照して、ＬＥＤ実装基板２の端子１６に接続されたケーブル１７は、プレート５の挿通孔５Ａ、ブラケット６の貫通孔６Ｃおよび防水シート８の貫通孔８Ｂを通って電気機器１の外部に引き出され、電源や制御機器などに接続される。
【０１３１】
そして、電気機器１には、別の電気機器１（前述した信号表示灯とは限らない）を連結することができる。
【０１３２】
以下には、隣り合う電気機器１同士を連結するための連結構造７０について説明する。
【０１３３】
図１５は、連結しようとする複数の電気機器１の斜視図である。図１６は、連結された複数の電気機器１の模式的な縦断面図である。図１５および図１６では、一例として、前述した信号表示灯である電気機器１に対して２つの別の電気機器１が上から積層状態で連結される場合を示している。これら３つの電気機器１を、説明の便宜上、下から順に、電気機器１Ａ、１Ｂ、１Ｃと区別することがある。図１５および図１６の場合、３つの電気機器１のうち、少なくとも１つの電気機器１（ここでは電気機器１Ａ）は信号表示灯である。もちろん、連結される全ての電気機器１が信号表示灯であってもよい。また、信号表示灯以外の電気機器１として、警告音を発する機器、各種の情報を外部のコンピュータ等へ無線または有線で送信する機器、動作状況等についてのログを記録する機器等が挙げられる。
【０１３４】
複数（ここでは３つ）の電気機器１は、上下方向に延びる共通の基準軸７１上に並んだ状態で連結される。
【０１３５】
また、複数の電気機器１のそれぞれは、開口部７２が形成された接続端部７３を有している。
【０１３６】
図１６を参照して、電気機器１Ａの場合、前述したアウターレンズ１０の中空部分１０Ａにおいて上方へ露出された部分が、開口部７２であって、アウターレンズ１０の上端部１０Ｂが、接続端部７３である。
【０１３７】
電気機器１Ｂおよび１Ｃのそれぞれは、基準軸７１に沿って延びる筒状（ここでは円筒状）の本体７４を有している。本体７４内には、前述した内部ユニット１００（レンズ３やＬＥＤ実装基板２とは別の部品で構成されていてもよい）が内蔵されている。
【０１３８】
なお、以下で説明する円形状（円筒状）の部品（本体７４も含む）は、電気機器１Ａと一体化された状態では電気機器１Ａのレンズ３と略同軸状をなす。よって、説明の便宜上、当該部品における外周面や内周面等の周方向を（レンズ３の）周方向Ｐとし、当該部品の径方向を（レンズ３の）径方向Ｒとして各部品について説明することがある。なお、前述した基準軸７１は、当該各部品やレンズ３の円中心を通っている。
【０１３９】
本体７４の内周面の下端部には、本体７４の径方向内側へ張り出した環状の鍔部７４Ａが一体的に設けられている。本体７４内において鍔部７４Ａに囲まれた空間が、電気機器１Ｂおよび１Ｃのそれぞれにおける下側の開口部７２（「下側開口部７２Ｌ」ということにする）である。本体７４の下端部（鍔部７４Ａよりも下側の環状部分）が、電気機器１Ｂおよび１Ｃのそれぞれにおける下側の接続端部７３（「下側接続端部７３Ｌ」ということにする）である。
【０１４０】
下側接続端部７３Ｌの内周面には、前述したヘッドカバー１３の係止溝１３Ｃ（図５Ａ参照）と同形状（Ｌ字状）の係止溝７４Ｂが、係止溝１３Ｃと同数設けられている。また、本体７４の中空部分において上方へ露出された部分が、電気機器１Ｂおよび１Ｃのそれぞれにおける上側の開口部７２（「上側開口部７２Ｕ」ということにする）であり、本体７４の上端部における環状部分が、電気機器１Ｂおよび１Ｃのそれぞれにおける上側の接続端部７３（「上側接続端部７３Ｕ」ということにする）である。
【０１４１】
電気機器１Ｂおよび１Ｃのそれぞれにおける上側接続端部７３Ｕは、電気機器１Ａのアウターレンズ１０の上端部１０Ｂと同様に、一段縮径されていて、上側接続端部７３Ｕの外周面には、前述したリブ１０Ｄ（図５Ａ参照）と同形状のリブ７３Ａが形成されている。リブ７３Ａは、上側接続端部７３Ｕの外周面から突出しつつ当該外周面の周方向全域に亘って環状に延びている。また、電気機器１Ｂおよび１Ｃのそれぞれの本体７４の外周面において上側接続端部７３Ｕに下から隣接する領域には、アウターレンズ１０の切り欠き溝１０Ｅと同様に下方へ延びる切り欠き７４Ｃが形成されている（図１５参照）。切り欠き７４Ｃは、切り欠き溝１０Ｅと同数（ここでは２つ）形成されていて、本体７４の周方向Ｐにおいて間隔を隔てて配置されている。
【０１４２】
連結構造７０は、前述したアウタートップ１１、防水キャップ１２および防水リング１８と各電気機器１の接続端部７３で構成されている。連結構造７０は、前述した共通の基準軸７１上に並んだ複数の電気機器１のうち、隣り合う一対の電気機器１における接続端部７３同士を、アウタートップ１１、防水キャップ１２および防水リング１８を介して連結するためのものである。そのため、連結構造７０は、隣り合う一対の電気機器１の間に１つずつ設けられている。なお、以下では、個々の電気機器１は、電気機器１においてアウタートップ１１、防水キャップ１２および防水リング１８を除いた構成を指している。
【０１４３】
ここで、連結構造７０によって連結される一対の電気機器１のうち、当該連結構造７０のアウタートップ１１に対して一方側（ここでは下側）にある電気機器１を、一方側電気機器１Ｘといい、アウタートップ１１に対して他方側（ここでは上側）にある電気機器１を、他方側電気機器１Ｙということにする。図１５および図１６の電気機器１Ａ〜１Ｃの場合、電気機器１Ａと電気機器１Ｂとの間の連結構造７０のアウタートップ１１を基準とすると、電気機器１Ａが一方側電気機器１Ｘとなり、電気機器１Ｂが他方側電気機器１Ｙとなる。また、電気機器１Ｂと電気機器１Ｃとの間の連結構造７０のアウタートップ１１を基準とすると、電気機器１Ｂが一方側電気機器１Ｘとなり、電気機器１Ｃが他方側電気機器１Ｙとなる。
【０１４４】
各連結構造７０のアウタートップ１１のフランジ部１１Ｂでは、係合部５５および係止溝１１Ｇが設けられた下側部分が一方側接続部７５となっており、リブ１１Ｅおよび環状溝１１Ｆが形成された上側部分が他方側接続部７６となっている（図５Ａも参照）。アウタートップ１１において、一方側接続部７５の下端と他方側接続部７６の上端との間に、前述した閉塞部１１Ａが位置している。
【０１４５】
図１６を参照して、電気機器１Ａ（一方側電気機器１Ｘ）と電気機器１Ｂ（他方側電気機器１Ｙ）とが連結構造７０によって連結された状態では、当該連結構造７０のアウタートップ１１の一方側接続部７５は、電気機器１Ａの接続端部７３に対して上から外嵌されている。この状態で、電気機器１Ａの接続端部７３のリブ１０Ｄが一方側接続部７５の係止溝１１Ｇに嵌まり込んでいるので、一方側接続部７５は、電気機器１Ａの接続端部７３に対して嵌め殺し状態となっており、接続端部７３から上方へ引き抜けなくなっている。また、図１５に示すように、一方側接続部７５の各係合部５５が、電気機器１Ａの接続端部７３における切り欠き溝１０Ｅに１つずつ上から嵌まり込むことによって、当該接続端部７３に係合している。これにより、電気機器１Ａの接続端部７３に対する一方側接続部７５の（基準軸７１まわりの）相対回転が規制されている。以上より、一方側接続部７５は、電気機器１Ａの接続端部７３に対して、基準軸７１まわりに相対回転不能となるように固定されている。ちなみに、ここでの「相対回転不能となるように固定」とは、一定未満の力では一方側接続部７５を接続端部７３に対して相対回転させることができず、一定以上の力で一方側接続部７５を接続端部７３に対して相対回転させようとすると、一方側接続部７５および接続端部７３の少なくともどちらか（たとえば係合部５５）が破壊されるように、一方側接続部７５と接続端部７３とが結合されていることを意味している。そこで、一方側接続部７５を接続端部７３に対して相対回転不能となるように固定する手段として、係合部５５を切り欠き溝１０Ｅに係合（嵌合）させる構成以外に、ねじを用いて一方側接続部７５を接続端部７３に固定（ねじ止め）する構成や、接着剤で一方側接続部７５を接続端部７３に接着する構成も、一例として用いることができる。
【０１４６】
一方、電気機器１Ａと電気機器１Ｂとを連結する連結構造７０のアウタートップ１１における他方側接続部７６は、図１６に示すように、電気機器１Ｂの接続端部７３（下側接続端部７３Ｌ）に対して下から内嵌されている。この状態では、他方側接続部７６における各リブ１１Ｅが、下側接続端部７３Ｌの係止溝７４Ｂに対して１つずつ嵌まり込んで結合しているので、他方側接続部７６は、電気機器１Ｂの下側接続端部７３Ｌから下方へ引き抜けなくなっている。しかし、係止溝７４Ｂは、前述したヘッドカバー１３の係止溝１３Ｃ（図５Ａ参照）と同じＬ字形状であって、下側接続端部７３Ｌの内周面の下端縁から上方へ延びた後に略直角に折れ曲がって当該内周面の周方向Ｐに延びている。そのため、他方側接続部７６を電気機器１Ｂの下側接続端部７３Ｌに対して基準軸７１まわりに相対回転させ、各リブ１１Ｅを、係止溝７４Ｂにおいて下側接続端部７３Ｌの内周面の下端縁から上方へ延びている部分に一致させると、各リブ１１Ｅは係止溝７４Ｂから下方へ外れることができる。よって、他方側接続部７６を電気機器１Ｂの下側接続端部７３Ｌから下方へ引き出すことができる。ここでの引き出しとは逆の手順と踏むと、他方側接続部７６を電気機器１Ｂの下側接続端部７３Ｌに再度連結することができる。つまり、他方側接続部７６は、電気機器１Ｂの接続端部７３（下側接続端部７３Ｌ）に対して、基準軸７１まわりに相対回転することで着脱可能となるように接続されている。
【０１４７】
また、電気機器１Ａと電気機器１Ｂとを連結する連結構造７０のアウタートップ１１における閉塞部１１Ａは、電気機器１Ａおよび電気機器１Ｂのそれぞれの開口部７２（電気機器１Ｂの場合は下側開口部７２Ｌ）を一度に塞いでいる。ただし、閉塞部１１Ａに形成された（前述した）露出穴１１Ｄを介して、電気機器１Ａおよび電気機器１Ｂのそれぞれの開口部７２が互いに連通している。
【０１４８】
ここで、図１５に示すように、各電気機器１には、連結される他の電気機器１に電気的に接続される接続端子７７が設けられている。信号表示灯である電気機器１Ａの場合、接続端子７７は、前述したＬＥＤ実装基板２に対して電気的に接続されていて、閉塞部１１Ａから上方に露出されている。露出穴１１Ｄは、電気機器１Ａの接続端子７７を電気機器１Ｂ側に露出させている。図１６に示すように、電気機器１Ｂ内で内部ユニット１００につながったケーブル７９を当該接続端子７７に接続することによって、電気機器１Ａと電気機器１Ｂとを電気的に接続することができる。
【０１４９】
また、電気機器１Ａと電気機器１Ｂとを連結する連結構造７０における防水キャップ１２では、前述した内側部分１２Ａが、アウターレンズ１０の上端縁１０Ｊ（電気機器１Ａの開口部７２の周縁）の周辺における内周面１０Ｆ側に配置され、前述した外側部分１２Ｂが、アウターレンズ１０の上端縁１０Ｊの周辺における外周面１０Ｃとアウタートップ１１の一方側接続部７５との間に介在されている。また、防水キャップ１２の連結部１２Ｃは、アウターレンズ１０の上端縁１０Ｊとアウタートップ１１の一方側接続部７５（詳しくは、境界部１１Ｈ）との間に介在されている。つまり、防水キャップ１２は、電気機器１Ａの開口部７２の周縁に沿って、電気機器１Ａと一方側接続部７５との間に介在されて、電気機器１Ａと一方側接続部７５との間を周方向全域に亘って密封している。
【０１５０】
また、電気機器１Ａと電気機器１Ｂとを連結する連結構造７０における防水リング１８は、アウタートップ１１の他方側接続部７６における環状溝１１Ｆにセットされ、他方側接続部７６と電気機器１Ｂの接続端部７３（下側接続端部７３Ｌ）の内周面との間を周方向全域に亘って密封している。
【０１５１】
同様に、電気機器１Ｂ（一方側電気機器１Ｘとなる）と電気機器１Ｃ（他方側電気機器１Ｙとなる）とを連結する連結構造７０においても、アウタートップ１１の一方側接続部７５は、電気機器１Ｂの接続端部７３（上側接続端部７３Ｕ）に対して、基準軸７１まわりに相対回転不能となるように固定されている。また、アウタートップ１１の他方側接続部７６は、電気機器１Ｃの接続端部７３（下側接続端部７３Ｌ）に対して、基準軸７１まわりに相対回転することで着脱可能となるように接続されている。また、防水キャップ１２は、電気機器１Ｂの開口部７２（上側開口部７２Ｕ）の周縁に沿って電気機器１Ｂと一方側接続部７５との間に介在されて、電気機器１Ｂと一方側接続部７５との間を周方向全域に亘って密封している。また、防水リング１８が、アウタートップ１１の他方側接続部７６における環状溝１１Ｆにセットされ、他方側接続部７６と電気機器１Ｃの接続端部７３（下側接続端部７３Ｌ）の内周面との間を周方向全域に亘って密封している。
【０１５２】
一方、電気機器１Ｃの上側接続端部７３Ｕには、前述したヘッドカバー１３が、連結構造７０を介して取り付けられている。この連結構造７０においても、アウタートップ１１の一方側接続部７５は、電気機器１Ｃの上側接続端部７３Ｕに対して、基準軸７１まわりに相対回転不能となるように固定されている。アウタートップ１１の各リブ１１Ｅは、ヘッドカバー１３のフランジ部１３Ｂの内周面の係止溝１３Ｃ（フランジ部１３Ｂの内周面の周方向に延びている部分）に係止されることで係止溝１３Ｃに結合している。これによって、アウタートップ１１の他方側接続部７６は、ヘッドカバー１３に対して、基準軸７１まわりに相対回転することで着脱可能となるように接続されている。また、防水キャップ１２は、電気機器１Ｃの開口部７２（上側開口部７２Ｕ）の周縁に沿って電気機器１Ｃと一方側接続部７５との間に介在されて、電気機器１Ｃと一方側接続部７５との間を周方向全域に亘って密封している。また、防水リング１８が、アウタートップ１１の他方側接続部７６における環状溝１１Ｆにセットされ、他方側接続部７６とヘッドカバー１３の内周面との間を周方向全域に亘って密封している。
【０１５３】
以上のように、各連結構造７０のアウタートップ１１では、一方側接続部７５が、一方側電気機器１Ｘの接続端部７３に対して相対回転不能となるように固定される。特に、一方側接続部７５の係合部５５によって、アウタートップ１１の一方側接続部７５を一方側電気機器１Ｘの接続端部７３に対して、確実に相対回転不能となるように固定することができる（図１５参照）。このように一方側接続部７５が相対回転不能に接続端部７３に固定されていることから、アウタートップ１１は、一方側電気機器１Ｘに一体化されている。
【０１５４】
また、各連結構造７０のアウタートップ１１では、他方側接続部７６が、他方側電気機器１Ｙの接続端部７３に対して、相対回転することで着脱可能となるように接続される。
【０１５５】
以上より、一方側電気機器１Ｘと他方側電気機器１Ｙとを相対回転させると、アウタートップ１１が一方側電気機器１Ｘに一体化された状態で、アウタートップ１１に対して他方側電気機器１Ｙを容易に着脱すること（一方側電気機器１Ｘに他方側電気機器１Ｙを増設したり、増設を解消したりすること）が可能になる。つまり、電気機器１同士の連結や分離の容易性の向上を図れる。よって、電気機器１に対して別の電気機器１を増設し、電気機器１全体の機能を拡張することが可能となる。また、既に連結された電気機器１を別の電気機器１に組み換えることも可能となる。また、この連結構造７０を用いれば、任意の数の電気機器１（機能や種類が同じでも異なっていてもよい）を積層して連結することができる。
【０１５６】
また、各連結構造７０のアウタートップ１１では、閉塞部１１Ａが、一方側電気機器１Ｘおよび他方側電気機器１Ｙのそれぞれの開口部７２を塞いでいる。そのため、連結構造７０では、一方側電気機器１Ｘと他方側電気機器１Ｙとが連結された状態における防水性の向上を図れる。
【０１５７】
さらに、連結構造７０では、防水キャップ１２が一方側電気機器１Ｘとアウタートップ１１の一方側接続部７５との間を密封していて、閉塞部１１Ａでは、一方側電気機器１Ｘの接続端子７７を露出させる露出穴１１Ｄが必要最小限で形成されている（図１５参照）。そのため、他方側電気機器１Ｙが分離された状態の一方側電気機器１Ｘ（図１５参照）における接続端部７３まわりでの防水性の向上を図れる。また、このように閉塞部１１Ａにおいて露出穴１１Ｄが必要最小限で形成されているとともに、アウタートップ１１が一方側電気機器１Ｘに対して取り外し不能に固定されていることから、ユーザが一方側電気機器１Ｘの開口部７２から一方側電気機器１Ｘの内部に不意に触れることを防止できる。
【０１５８】
以上では、複数の電気機器１を連結する構成において、複数の電気機器１のうち少なくとも１つ（電気機器１Ａ）が信号表示灯である場合（換言すれば、前述した連結構造７０によって他の電気機器１と連結された信号表示灯）を説明したが、連結される全ての電気機器１が信号表示灯以外の電気機器であってもよい。たとえば、連結される電気機器１の１つが警告音を発する機器の場合、当該機器の内部ユニット１００は、スピーカユニットや電子部品でありうる。
【０１５９】
この発明は、以上に説明した実施形態に限定されるものではなく、請求項記載の範囲内において種々の変更が可能である。
【０１６０】
たとえば、図１４Ｂを参照して、連結された２つのレンズ３（第２レンズ３Ｂおよび第３レンズ３Ｃを参照）では、一方のレンズ３（第３レンズ３Ｃ）における各位置決めリブ３２の先端部３２Ａが、他方のレンズ３（第２レンズ３Ｂ）における支持部２２の他端側（他端側当接端面２２Ｆ側の内周面２２Ｂ）に係合している。ここで、他方のレンズ３における軸方向Ｘの他端側に、各位置決めリブ３２の先端部３２Ａを受け入れる凹部９０（第２連結ガイド部）が位置決めリブ３２と同数（ここでは４つ）設けられているとよい（図１３参照）。各凹部９０に先端部３２Ａが一つずつ係合することによって、軸方向Ｘに沿う回転軸（前述した基準軸７１）を中心とする各レンズ３（連結された２つのレンズ３のそれぞれ）の回転（隣り合うレンズ３のねじれ）を抑止することができる。これにより、各レンズ３の挿入空間４１に内包されたＬＥＤ実装基板２に対して当該ねじれによる負荷がかかることを抑制できる。なお、このような凹部９０は、図２に示すように、アウタートップ１１の閉塞部１１Ａの下面にも設けられてよい。
【０１６１】
また、前述したように内部ユニット１００を上下から挟持する防水リング９および防水キャップ１２と別に防水パッキンを設けるのであれば、防水リング９および防水キャップ１２は、防水性を有しておらず、内部ユニット１００を保護して支持するための単なる緩衝材として機能してもよい。
【０１６２】
図１７は、変形例におけるレンズ３の斜視図である。図１８は、変形例におけるレンズ３の平面図である。
【０１６３】
図１７および図１８に示す変形例のレンズ３は、導光放射部２０の内側かつ支持部２２の外側（つまり、導光放射部２０と支持部２２との間）に内側照射部８０を含んでいる。内側照射部８０は、前述した幅方向Ｗにおける支持部２２の両側に配置されるように一対設けられている。各内側照射部８０は、周方向Ｐでスリット部２３から約＋９０度または約−９０度ずれた位置に配置されている。各内側照射部８０は、連結部３３から軸方向Ｘに沿って延びる柱状である。軸方向Ｘに直交する平面で切断したときの各内側照射部８０の断面は、導光放射部２０の反対位置２０Ｃへ向けて細くなる略三角形状をなしている。そのため、各内側照射部８０においてスリット部２３側の端面８０Ａは、幅方向Ｗおよび軸方向Ｘの両方に沿った平坦面である。なお、各内側照射部８０は、導光放射部２０と支持部２２との間に架設されているが（図１８参照）、これに限らず、導光放射部２０および支持部２２の両方または一方に接続されていなくてもよい。
【０１６４】
ＬＥＤ１４の発光に伴って導光放射部２０の内側に光が漏れた場合、この光の一部は、内側照射部８０によって端面８０Ａからスリット部２３側（厳密には、導光放射部２０の第１領域２０Ｄ側であって、図１８の場合には端面８０Ａの真上の領域）に照射される。このように照射された光のうち、第１領域２０Ｄに到達した光は、第１領域２０Ｄにおける導光放射部２０から外方に放射される。また、内側照射部８０によって照射されてからスリット部２３側に到達した光は、スリット部２３の補助レンズ部２１によって外方に放射される。これにより、電気機器１では、導光放射部２０から外方に放射される光の光量の周方向Ｐにおける均一化を図ることができる。
【０１６５】
前述した実施形態では、導光放射部２０の内周面２０Ｂにおける凸部２５の断面形状が、第１領域２０Ｄと第２領域２０Ｅと第３領域２０Ｆとで異なっていたが（図６〜図８参照）、変形例のように、凸部２５の断面形状は、第１領域２０Ｄ〜第３領域２０Ｆの全域で同一であってもよい。この場合、各凸部２５の断面形状は、当初の第２領域２０Ｅにおける凸部２５の断面形状（図６〜図８参照）に似た形状となっている。そのため、軸方向Ｘと直交する切断面で切断したときの各凸部２５の基本断面形態は、内周面２０Ｂにおける周方向Ｐの位置がどこであっても同一になっている。
【符号の説明】
【０１６６】
１…電気機器
１Ｘ…一方側電気機器
１Ｙ…他方側電気機器
１１…アウタートップ
１１Ａ…閉塞部
１１Ｄ…露出穴
１２…防水キャップ
５５…係合部
７０…連結構造
７１…基準軸
７２…開口部
７３…接続端部
７５…一方側接続部
７６…他方側接続部
７７…接続端子
【図１】
0005967458.tif 000002
【図２】
0005967458.tif 000003
【図３Ａ】
0005967458.tif 000004
【図３Ｂ】
0005967458.tif 000005
【図４Ａ】
0005967458.tif 000006
【図４Ｂ】
0005967458.tif 000007
【図５Ａ】
0005967458.tif 000008
【図５Ｂ】
0005967458.tif 000009
【図６】
0005967458.tif 000010
【図７】
0005967458.tif 000011
【図８】
0005967458.tif 000012
【図９】
0005967458.tif 000013
【図１０】
0005967458.tif 000014
【図１１】
0005967458.tif 000015
【図１２】
0005967458.tif 000016
【図１３】
0005967458.tif 000017
【図１４Ａ】
0005967458.tif 000018
【図１４Ｂ】
0005967458.tif 000019
【図１５】
0005967458.tif 000020
【図１６】
0005967458.tif 000021
【図１７】
0005967458.tif 000022
【図１８】
0005967458.tif 000023